(57)【特許請求の範囲】
【請求項１】
掘削歯組立体であって、
前記掘削歯組立体（１０）が、アダプタ（１２）の長手方向中心線（２２）に沿って互いに軸線方向に配置されたベース部分（２４）と鼻部分（２６）とを有するアダプタ（１２）を備えており、
前記ベース部分（２４）が、前記アダプタ（１２）を掘削機器（１８）に取り付けることを可能にするように構成され、
前記鼻部分（２６）が、自由前方端部で終端していて、前記アダプタ（１２）の前記長手方向中心線（２２）のそれぞれ概ね上方および下方に配設された上面（３０）および底面（４０）を有し、
前記鼻部分（２６）の前記上面（３０）が、前記長手方向中心線（２２）の横方向両側に配置され、前記鼻部分（２６）の後方端部から前方に、前記鼻部分（２６）の長さ方向にわたって延在する２つの傾斜側面（３６，３７）を有し、
前記上面（３０）の前記２つの傾斜側面（３６，３７）の各々が水平な面に対して２５°から６０°の角度で傾斜しており、
前記アダプタ（１２）の前記鼻部分（２６）の前記上面（３０）の前記２つの傾斜側面（３６，３７）は前記アダプタ（１２）の前記ベース部分（２４）から長手方向前方に延在している上面側共通縁（３８）に沿って互いに結合されていて、
前記鼻部分の前記底面（４０）が、前記長手方向中心線（２２）の横方向両側に配置された２つの側面（４６,４７）を有し、
前記鼻部分（２６）が、前記上面（３０）の前記２つの傾斜側面（３６,３７）の１つに開口した凹部（５０）をさらに有しており、
前記凹部（５０）の軸線（５２）が前記アダプタ（１２）の前記長手方向中心線（２２）を通過していて、ほぼ水平な面に対して２５°から６０°の角度で傾斜しており、
前記掘削歯組立体（１０）がさらに、前方端部（５７）と後方端部（５８）を有する掘削歯（１４）を備えており、
前記掘削歯（１４）が、前記後方端部（５８）に開口し、内部に前記アダプタ（１２）の前記鼻部分（２６）を収容するように構成された有底穴（６８）と、前記掘削歯（１４）と前記アダプタ（１２）が組み合わされたときに、前記アダプタ（１２）にある前記凹部（５０）と一致する開口（９０，９２）とを有しており、
前記掘削歯組立体（１０）がさらに前記アダプタ（１２）にある前記凹部（５０）内部に収容され、前記掘削歯（１４）にある前記開口（９０，９２）を部分的に通過し、それにより前記掘削歯（１４）と前記アダプタ（１２）を互いに対して取外し可能に固定する保持装置（１６）を備えている掘削歯組立体。
【請求項２】
前記アダプタ（１２）の前記上面（３０）の前記２つの傾斜側面（３６,３７）及び／又は前記アダプタ（１２）の前記底面（４０）の前記側面（４６,４７）が概ね平面の形状を有する、請求項１に記載の掘削歯組立体。
【請求項３】
前記アダプタ（１２）の前記凹部（５０）の前記軸線（５２）が、前記アダプタ（１２）の前記上面（３０）の前記２つの傾斜側面（３６，３７）の１つに概ね垂直に延在する、請求項１又は２に記載の掘削歯組立体。
【請求項４】
前記アダプタ（１２）の前記凹部（５０）が、前記アダプタ（１２）の前記鼻部分（２６）の前記上面（３０）の前記２つの傾斜側面（３６，３７）及び前記底面（４０）の前記２つの側面（４６，４７）の対向した側面に両端が開口した穴である、請求項１から３のいずれか１項に記載の掘削歯組立体。
【請求項５】
前記アダプタ（１２）の前記凹部（５０）の前記軸線（５２）が、前記アダプタ（１２）の前記底面（４０）の前記２つの側面（４６，４７）の１つに概ね垂直である、請求項１から４のいずれか１項に記載の掘削歯組立体。
【請求項６】
前記アダプタ（１２）の前記鼻部分（２６）の前記底面（４０）の前記２つの側面（４６，４７）のうち前記凹部（５０）の前記軸線（５２）と交差した側面は、前記軸線（５２）と同心に配置されたカウンターボア（２９９）を有している、請求項１から５のいずれか１項に記載の掘削歯組立体。
【請求項７】
前記アダプタ（１２）の前記底面（４０）の前記２つの側面（４６,４７）の各々が、水平な面に対して２５°から６５°の角度で傾斜している、請求項１から６のいずれか１項に記載の掘削歯組立体。
【請求項８】
前記アダプタ（１２）の前記鼻部分（２６）の前記上面（３０）及び底面（４０）の前端部（３３）と、前記掘削歯（１４）の前記有底穴（６８）の対応する面（７０，８０）には、前記掘削歯組立体の運転の際、前記アダプタ（１２）と前記掘削歯（１４）を安定化する支持体（３２，３３，３５，４２；７２，７４，７５，８２，８４；８５）が形成されている、請求項１から７のいずれか１項に記載の掘削歯組立体。
【請求項９】
前記掘削歯（１４）が、前記前方端部（５７）を横切って横方向に延在する地面貫入縁（５６）を備えており、
前記地面貫入縁（５６）が、前記掘削歯（１４）が掘削機器（１８）に取り付けられたときに掘削機器（１８）の縁（２０）に概ね平行に延在し、
前記掘削歯（１４）の前記有底穴（６８）が上面（７０）および底面（８０）を有しており、
前記有底穴（６８）の前記上面（７０）および底面（８０）がそれぞれ２つの傾斜側面（７６，７７，８６，８７）を有しており、
前記有底穴（６８）の前記上面（７０）の前記２つの傾斜側面（７６,７７）の各々が、前記地面貫入縁（５６）に対して２５°から６０°の角度で傾斜しており、
前記上面（７０）の前記２つの傾斜側面（７６，７７）および前記底面（８０）の前記２つの傾斜側面（８６，８７）が、前記掘削歯（１４）の長手方向中心線（５４）の上下両側に配置され、
前記掘削歯（１４）の前記開口（９０,９２）が、水平面に対して２５°から６０°の角度で傾斜した軸線（９４）であって、前記有底穴（６８）の前記上面（７０）の前記２つの傾斜側面（７６，７７）および前記底面（８０）の前記２つの傾斜側面（８６，８７）のうちの対向する傾斜側面を横切る軸線（９４）であって、前記掘削歯（１４）の前記長手方向中心線（５４）を通過する軸線（９４）を有している、請求項１から８のいずれか１項に記載の掘削歯組立体。
【請求項１０】
前記掘削歯（１４）の前記有底穴（６８）の前記上面（７０）及び底面（８０）が前記掘削歯（１４）の前記前方自由端（５７）に向かって及び互いに対して収束している、請求項９に記載の掘削歯組立体。
【請求項１１】
前記掘削歯（１４）の前記有底穴（６８）の前記上面（７０）の前記２つの傾斜側面（７６，７７）及び／又は前記掘削歯（１４）の前記有底穴（６８）の前記底面（８０）の前記２つの傾斜側面（８６，８７）は概ね平らな形状を有している、請求項９又は１０に記載の掘削歯組立体。
【請求項１２】
前記掘削歯（１４）の前記開口（９０，９２）の前記軸線（９４）が、前記掘削歯（１４）の前記有底穴（６８）の前記上面（７０）の前記２つの傾斜側面（７６，７７）の一方に概ね直交して延在している、請求項９から１１のいずれか１項に記載の掘削歯組立体。
【請求項１３】
前記掘削歯（１４）の前記有底穴（６８）の前記上面（７０）の前記２つの傾斜側面（７６，７７）と前記底面（８０）の前記２つの傾斜側面（８６，８７）が、前記掘削歯（１４）の後方端部（５８）から前方へ前記掘削歯（１４）のある長さに沿って延在している横側共通縁（７９，８９）に沿って結合されている、請求項９から１２のいずれか１項に記載の掘削歯組立体。
【請求項１４】
前記アダプタ（１２）及び前記掘削歯（１４）の各々が、前記掘削歯組立体の運転の際に前記掘削歯（１４）及び前記アダプタ（１２）を安定化する対応する支持面（３２，３３，３５，４２；７２，７４，７５，８２，８４，８５）を有している、請求項９から１３のいずれか１項に記載の掘削歯組立体。
【請求項１５】
前記アダプタ（１２）の前記鼻部分（２６）が、該鼻部分の主要長さ部分に沿って概ね菱形の断面形状を有していて、前記アダプタ（１２）に強度と剛性を付加している、請求項１から１４のいずれか１項に記載の掘削歯組立体。
【請求項１６】
前記アダプタ（１２）の前記鼻部分（２６）の前記菱形断面形状は、前記前方自由端部から後方端部に向かって断面の大きさが増加している、請求項１５に記載の掘削歯組立体。
【請求項１７】
前記アダプタ（１２）の前記鼻部分（２６）は４つの傾斜側面（３６，３７，４６，４７）によって形成されており、
前記アダプタ（１２）の前記鼻部分（２６）の前記上面（３０）の前記２つの傾斜側面（３６，３７）は前記アダプタ（１２）の長手方向に延在している上面側共通縁（３８）に沿って互いに結合されており、
前記アダプタ（１２）の前記鼻部分（２６）の前記底面（４０）の前記２つの傾斜側面（４６，４７）は前記アダプタ（１２）の長手方向に延在している底面側共通縁（４８）に沿って互いに結合されている、請求項１から１６のいずれか１項に記載の掘削歯組立体。
【請求項１８】
前記アダプタ（１２）の前記鼻部分（２６）の前記上面（３０）の前記２つの傾斜側面（３６，３７）を結合する前記上面側共通縁（３８）は、湾曲した断面形状を有している、請求項１７に記載の掘削歯組立体。
【請求項１９】
前記アダプタ（１２）の前記底面（４０）の前記２つの傾斜側面（４６，４７）を結合する前記底面側共通縁（４８）は、湾曲した断面形状を有している、請求項１７に記載の掘削歯組立体。
【請求項２０】
前記アダプタ（１２）の前記鼻部分（２６）の前記上面（３０）の前記２つの傾斜側面（３６,３７）と前記底面（４０）の前記２つの傾斜側面（４６，４７）は、各横側共通縁（３９，４９）に沿って互いに結合されている、請求項１７に記載の掘削歯組立体。
【請求項２１】
前記アダプタ（１２）の前記鼻部分（２６）の前記上面（３０）の前記２つの傾斜側面（３６，３７）と前記底面（４０）の前記２つの傾斜側面（４６，４７）を結合する前記横側共通縁（３９，４９）の各々は、湾曲した断面形状を有している、請求項２０に記載の掘削歯組立体。
【請求項２２】
前記掘削歯（１４）の前記有底穴（６８）は４つの傾斜側面（７６，７７，８６，８７）によって形成され、
前記有底穴（６８）の前記上面（７０）の前記２つの傾斜側面（７６，７７）が前記掘削歯（１４）の長手方向に延在する上面側共通縁（７８）に沿って互いに結合され、
前記有底穴（６８）の前記底面（８０）の前記２つの傾斜側面（８６，８７）が前記掘削歯（１４）の長手方向に延在する底面側共通縁（８８）に沿って互いに結合されている、請求項１から２１のいずれか１項に記載の掘削歯組立体。
【請求項２３】
前記有底穴（６８）の前記上面（７０）の前記２つの傾斜側面（７６,７７）を結合する上面側共通縁（７８）及び前記底面（８０）の前記２つの傾斜側面（８６，８７）を結合する前記底面側共通縁（８８）の各々は、湾曲断面形状を有している、請求項２２に記載の掘削歯組立体。
【請求項２４】
前記掘削歯（１４）の前記有底穴（６８）の前記上面（７０）の前記２つの傾斜側面（７６,７７）と前記底面（８０）の前記２つの傾斜側面（８６，８７）は、各横側共通縁（７９，８９）に沿って互いに結合されている、請求項２２に記載の掘削歯組立体。
【請求項２５】
掘削歯組立体であって、
該掘削歯組立体（１０）が、前方端部（５７）において横方向に延在する地面貫入縁部を有する掘削歯（１４）を備えており、
前記掘削歯（１４）が、前記掘削歯（１４）の後方端部（５８）に開口した有底穴（６８）を有し、
前記有底穴（６８）が、互いに対して及び前記前方端部（５７）に向かって収束している上面（７０）および底面（８０）を含んでおり、
前記有底穴（６８）の前記上面（７０）が、２つの傾斜側面（７６，７７）を含み、
該有底穴（６８）の前記上面（７０）の各傾斜側面が、前記地面貫入縁部（５６）に対して２５°から６５°の角度で傾斜しており、
前記有底穴（６８）の前記上面（７０）の前記２つの傾斜側面（７６，７７）が、前記掘削歯（１４）の長手方向中心線（５４）の横方向両側に配置され、
前記有底穴（６８）の前記上面（７０）の前記２つの傾斜側面（７６，７７）が前記有底穴（６８）の前記後方端部（５８）から長手方向前方に延びる上面側共通縁（７８）に沿って互いに結合されていて、
前記有底穴（６８）の前記底面（８０）が、前記掘削歯（１４）の前記長手方向中心線（５４）の横方向両側に配置された２つの傾斜側面（８６，８７）を含み、
前記掘削歯（１４）が、さらに、前記地面貫入縁部（５６）に対して２５°から６０°の角度で傾斜した軸線（９４）であって、前記有底穴（６８）の前記上面の前記２つの傾斜側面（７６，７７）および前記底面の前記２つの傾斜側面（８６，８７）のうちの対向する傾斜側面を横切る軸線（９４）であって、前記掘削歯（１４）の前記長手方向中心線（５４）を通過する軸線（９４）に沿って配設された開口（９０，９２）を有し、
前記掘削歯組立体（１０）が、前記掘削歯組立体（１０）が地面係合装置（１８）に結合されることを可能にするベース部分（２４）を有するアダプタ（１２）をさらに備えており、
前記アダプタ（１２）が、前記掘削歯（１４）の前記有底穴（６８）内に嵌り前記掘削歯（１４）の前記有底穴（６８）と協働するように形成されると共に前記ベース部分（２４）に結合された鼻部分（２６）を含み、
前記鼻部分（２６）が、後方端部側に凹部（５０）を有し、
前記掘削歯（１４）と前記アダプタ（１２）が組合されたときに、前記凹部（５０）と前記掘削歯（１４）の前記開口（９０，９２）が、互いに対して概ね一致し、
前記掘削歯組立体（１０）が、前記アダプタ（１２）の前記凹部（５０）内に少なくとも部分的に収容されるように及び前記掘削歯（１４）の前記開口（９０，９２）を少なくとも部分的に通過するように構成され、前記掘削歯（１４）と前記アダプタ（１２）を取外し可能に保持する保持装置（１６）をさらに備えている、掘削歯組立体。
【請求項２６】
前記掘削歯（１４）と前記アダプタ（１２）とが組み立てられた時、前記掘削歯（１４）の前記開口（９０，９２）は、前記アダプタ（１２）の前記凹部（５０）と概ね一致する、請求項２５に記載の掘削歯組立体。
【請求項２７】
前記アダプタ（１２）の前記鼻部分（２６）が、２つの概ね平坦な側面（３６，３７）によって形成された上面（３０）を有し、各側面は前記アダプタ（１２）の長手方向軸線（２２）の上に配置され、両側面は前記アダプタ（１２）の前記ベース部分（２４）から前方へ延在している上面側共通縁（３８）に沿って互いに結合されている、請求項２５又は２６に記載の掘削歯組立体。
【請求項２８】
前記掘削歯（１４）の底面は水平面に概ね平行に延在している概ね平坦な形状を有している、請求項２５から２７のいずれか１項に記載の掘削歯組立体。
【請求項２９】
掘削歯（１４）であって、
該掘削歯（１４）がその前方端部（５７）に概ね横方向に延在する地面貫入縁部（５６）を有する細長い概ねくさび形の部材から成り、
前記掘削歯が前記掘削歯の後方端部に開口している有底穴（６８）を有し、
前記有底穴（６８）が、前記掘削歯の長手方向中心線（５４）の両側に配置された上面（７０）と底面（８０）とを含んでおり、
前記上面（７０）と底面（８０）の各々が、互いに向けてかつ前記掘削歯の前記前方端部（５７）に向けて収束しており、
前記有底穴（６８）の前記上面（７０）は２つの傾斜側面（７６，７７）を含んでおり、
前記上面（７０）の前記２つの傾斜側面（７６，７７）は、前記掘削歯の前記長手方向中心線（５４）の横側にそれぞれ配置されかつ前記地面貫入縁部（５６）に対して２５°から６５°の角度で傾斜しており、
前記有底穴（６８）の前記上面（７０）の前記２つの傾斜側面（７６，７７）が前記掘削歯の長手方向に延びる上面側共通縁（７８）に沿って互いに結合されていて、
前記掘削歯が、前記有底穴（６８）の前記上面（７０）の前記２つの傾斜側面（７６，７７）の少なくとも１つに開口している開口（９０，９２）をさらに有しており、
前記開口（９０，９２）の軸線（９４）が、前記掘削歯の前記長手方向中心線（５４）を通過しかつ前記掘削歯の前記地面貫入縁部（５６）に対して２５°から６５°の角度で傾斜している、掘削歯。
【請求項３０】
前記有底穴（６８）の前記底面（８０）は２つの傾斜側面（８６，８７）を含んでおり、前記２つの傾斜側面（８６，８７）は前記掘削歯の前記長手方向中心線（５４）の横側にそれぞれ配置されている、請求項２９に記載の掘削歯。
【請求項３１】
前記掘削歯が、前記有底穴（６８）の前記上面（７０）の前記２つの傾斜側面の一方（７６）に開口している開口（９０）を、前記有底穴の前記底面（８０）の前記２つの傾斜側面の一方（８７）であって、前記上面の前記一方の傾斜側面（７６）に対向している傾斜側面（８７）に開口している開口（９２）を有し、前記掘削歯の両開口（９０，９２）は互いに対して軸線方向に一致している、請求項２９又は３０に記載の掘削歯。
【請求項３２】
前記有底穴（６８）の前記上面（７０）の前記２つの傾斜側面（７６，７７）及び／又は前記有底穴（６８）の前記底面（８０）の前記２つの傾斜側面（８６，８７）の各々は概ね平坦な形状を有している、請求項２９から３１のいずれか１項に記載の掘削歯。
【請求項３３】
前記掘削歯の前記軸線方向に一致した両開口（９０，９２）が、前記掘削歯の前記有底穴（６８）の前記上面（７０）の前記２つの傾斜側面（７６，７７）の一方に概ね直交する軸線（９４）を有している、請求項２９から３２のいずれか１項に記載の掘削歯。
【請求項３４】
前記有底穴（６８）の前記４つ傾斜側面（７６，７７，８６，８７）は、前記掘削歯（１４）の前記有底穴（６８）の主要長さ部分にひし形断面形状を提供するように互いに対して配置されている、請求項２９から３３のいずれか１項に記載の掘削歯。
【請求項３５】
前記有底穴（６８）の前記ひし形断面形状は、有底穴の前方端部から後方端部に向かって、その大きさが増加している、請求項３４に記載の掘削歯。
【請求項３６】
前記有底穴（６８）の前記上面（７０）の前記２つの傾斜側面（７６，７７）を結合している前記上面側共通縁（７８）は湾曲断面形状を有している、請求項２９から３５のいずれか１項に記載の掘削歯。
【請求項３７】
前記有底穴（６８）の前記底面（８０）の前記２つの傾斜側面（８６，８７）は前記掘削歯の長手方向に延在している底面側共通縁（８８）に沿って互いに結合されている、請求項２９から３６のいずれか１項に記載の掘削歯。
【請求項３８】
前記有底穴（６８）の前記底面（８０）の前記２つの傾斜側面（８６，８７）を結合している前記底面側共通縁（８８）は湾曲断面形状を有している、請求項２９から３７のいずれか１項に記載の掘削歯。
【請求項３９】
前記有底穴（６８）の前記上面（７０）及び底面（８０）の前記傾斜側面（７６，７７，８６，８７）であって、前記掘削歯の前記長手方向中心線（５４）の各横側に配置された傾斜側面は、前記掘削歯の長手方向に延在している横側共通縁（７９，８９）に沿って互いに結合されている、請求項２９から３８のいずれか１項に記載の掘削歯。
【請求項４０】
前記掘削歯の前記長手方向中心線（５４）の各横側に配置された前記傾斜側面（７６，８６；７７，８７）を結合する前記横側共通縁（７９，８９）は湾曲断面形状を有している、請求項２９から３９のいずれか１項に記載の掘削歯。
【請求項４１】
前記有底穴（６８）の前記上面（７０）及び底面（８０）の前記傾斜側面（７６，７７，８６，８７）の各々は概ね平坦な形状を有している、請求項２９から３９のいずれか１項に記載の掘削歯。
【請求項４２】
掘削歯組立体（１０）用のアダプタ（１２）であって、
細長い部材の長手方向中心線（２２）に沿って互いに軸線方向に配置されたベース部分（２４）と鼻部分（２６）とを有する細長い部材から成り、
前記ベース部分（２４）が、前記アダプタ（１２）を掘削機器（１８）に取り付けることを可能にするように構成されており、
前記鼻部分（２６）が、前方自由端部で終端していて、前記アダプタの前記長手方向中心線（２２）のそれぞれ概ね上方および下方に配設された上面（３０）および底面（４０）を有し、
前記鼻部分（２６）の前記上面（３０）が、前記アダプタの前記長手方向中心線（２２）の対向する横側に配置された２つの傾斜側面（３６，３７）を有し、
前記鼻部分（２６）の前記上面（３０）の前記２つの傾斜側面（３６，３７）の各々が、水平面に対して２５°から６５°の角度で傾斜しており、
前記アダプタ（１２）の前記鼻部分（２６）の前記上面（３０）の前記２つの傾斜側面（３６，３７）は前記アダプタ（１２）の長手方向に延在している上面側共通縁（３８）に沿って互いに結合されていて、
前記鼻部分が、該鼻部分の後方端部の近くに配置された凹部（５０）をさらに有しており、
前記凹部（５０）が、軸線（５２）に沿って延在し、前記上面（３０）の前記２つの傾斜側面（３６，３７）の少なくとも一つに開口していて、
前記凹部（５０）の前記軸線（５２）が前記アダプタの前記長手方向中心線（２２）を通過し、水平面に対して２５°から６５°の角度で傾斜している、アダプタ。
【請求項４３】
前記アダプタの前記鼻部分（２６）の前記底面（４０）が、前記アダプタの前記長手方向中心線（２２）の対向する横側に配置された２つの傾斜側面（４６，４７）を有している、請求項４２に記載のアダプタ。
【請求項４４】
前記アダプタの前記上面（３０）の前記２つの傾斜側面（３６，３７）の各々は概ね平坦な形状を有している、請求項４２又は４３に記載のアダプタ。
【請求項４５】
前記アダプタ（１２）の前記鼻部分（２６）の前記凹部（５０）が、前記アダプタの前記鼻部分（２６）の前記上面（３０）の前記２つの傾斜側面（３６，３７）及び前記底面（４０）の前記２つの傾斜側面（４６，４７）のうちの対向する傾斜側面に両端が開口した穴である、請求項４２から４４のいずれか１項に記載のアダプタ。
【請求項４６】
前記凹部（５０）の前記軸線（５２）は、前記アダプタの前記上面（３０）の前記２つの傾斜側面（３６，３７）の一方に概ね直交して延在し、前記アダプタ（１２）の製作を容易にしている、請求項４２から４５のいずれか１項に記載のアダプタ。
【請求項４７】
前記アダプタの前記上面（３０）及び前記底面（４０）の前記４つの傾斜側面（３６，３７、４６，４７）は、前記鼻部分（２６）がその主要長さ部分にひし形断面を有するように互いに対して配置されている、請求項４２から４６のいずれか１項に記載のアダプタ。
【請求項４８】
前記アダプタの前記鼻部分（２６）の前記長手方向中心線（２２）の両側の前記底面（４０）の前記２つの傾斜側面（４６，４７）は前記アダプタの長手方向に延在している底面側共通縁（４８）に沿って互いに結合されている、請求項４２から４７のいずれか１項に記載のアダプタ。
【請求項４９】
前記上面側及び底面側共通縁（３８，４８）は前記アダプタの直径方向に対向する前記傾斜側面間の距離より大きな距離に離隔している、請求項４２から４８のいずれか１項に記載のアダプタ。
【請求項５０】
前記アダプタの前記上面（３０）の前記２つの傾斜側面（３６，３７）を結合している前記上面側共通縁（３８）が湾曲断面形状を有している、請求項４２から４９のいずれか１項に記載のアダプタ。
【請求項５１】
前記アダプタの前記上面（３０）及び底面（４０）の前記傾斜側面（３６，４６；３７，４７）であって、前記アダプタの前記長手方向中心線（２２）の各横側に配置された傾斜側面は前記アダプタの長手方向に延在している横側共通縁（３９，４９）に沿って互いに結合されている、請求項４２から５０のいずれか１項に記載のアダプタ。
【請求項５２】
前記アダプタの前記横側共通縁（３９，４９）は湾曲断面形状を有している、請求項４２から５１のいずれか１項に記載のアダプタ。
【請求項５３】
前記アダプタの前記鼻部分（２６）の前記上面（３０）及び底面（４０）が安定化支持部（３２，４２）を有している、請求項４２から５１のいずれか１項に記載のアダプタ。
【発明の詳細な説明】
【０００１】
（発明の分野）
本発明は概ね地面係合機器に関し、より詳細には、保持ピン構造によって互いに動作可能に相互接続された掘削歯とアダプタを含んでいる複数部片掘削歯組立体に関する。
【０００２】
（発明の背景）
採鉱、建設、およびその他無数の地面係合操作で使用される掘削機器は通常、バケット・リップにわたって横に並ぶ関係で取り付けられた一連の離隔された地面係合歯を含んでいる。歯は、前方に突出して、バケット内に集める材料に係合して粉砕する。当技術分野では、比較的小さな採掘または掘削歯を比較的大きなアダプタまたは支持体に接続し、それをバケットまたは掘削機器に接続することによって得られる利点が長年認識されている。通常、アダプタまたは支持体は、バケットの前方リップおよび自由端鼻部分に取り付けるように構成されたベース部分を含んでいる。多くの適用例で、採掘歯とアダプタの間の連結は、歯の後部に開いており、アダプタの鼻部分の相当な長さにわたって、かつそこに沿って嵌まるポケットまたはめくら穴を採掘または掘削歯に与えることを含んでいる。適切なピンが、歯とアダプタを互いに動作可能な関係で動作可能に相互接続する。
【０００３】
通常、特に今日の世界経済では、地面係合複数部片歯組立体を構成する構成要素は、地球上の様々な位置で製造及び／又は組立てられている。すなわち、採掘歯または先端を世界の１カ所、すなわち中国で製造または製作することができ、その歯のためのアダプタまたは支持体を世界の他の場所、すなわちメキシコで別個に製造または製作することができる。採掘歯組立体のこれらの個別部品または構成要素は、それらを配置すべき機械または装置が製造され、組み立てられる場合にのみ集められるのが一般的である。したがって、複数歯組立体の部品または構成要素は、世界の様々な製造施設で製作された部品が互いに嵌まり合い、組み合わさって動作することを可能にする自由公差を必要とする。
【０００４】
当業者によって理解されるように、バケットなどに接合されたとき、掘削歯組立体はしばしば厳しい摩耗条件にさらされ、それにより急速に相当な摩耗を受ける。さらに、掘削歯組立体の操作中に発生する比較的高い力がさらに、掘削歯組立体の構成要素部品の急速な摩耗に加担する。通常、各採掘歯は、歯の前方縁部にわたって延在する切削縁部を備えており、地面への貫入およびその粉砕を容易にする。各歯の切削縁部は、歯の横方向に延在するように向けられ、掘削または採掘される作業表面と概ね平行な関係にある。
【０００５】
稼働時に、歯に対してその製作中には特定のステップを適用することができるが、採掘操作中には歯の前方切削縁部が摩耗し、急速に鈍く非効率的なものになり、したがって交換を必要とする。歯組立体の複数歯構成により、組立体の採掘または掘削歯をアダプタとは無関係に交換することができるようになることが有利である。関係する掘削のタイプに応じて、所与のアダプタが５〜３０のいずれかの交換歯を連続的に備えて、鋭い貫入縁部を維持することができる。当分野では、摩耗した掘削歯部品の交換は一般的であり、時として毎日行われる。
【０００６】
理解できるように、掘削、採掘、または積載操作中、極端に高い垂直方向の力が、掘削機器に関連付けられた各掘削歯組立体に分与される。従来のアダプタまたは支持体は通常、平坦な上面および底面を有し、採掘歯の対応する平坦面がそこに載置している。極端な負荷条件下では、採掘または掘削歯は、ピンなどによって相互接続されてはいるが、アダプタの鼻部分に対して前方および下方に移動する傾向がある。構成要素部品間の緩い嵌合がさらに、歯とアダプタまたは支持体との間の相対的な移動に加担する。アダプタに対して歯が動く傾向は、特にポケット領域内で、かつアダプタの鼻部分に沿って、摩耗の問題を悪化させる。採掘歯およびアダプタの摺動対向面間にほこりおよび汚れが存在することが、掘削歯組立体の構成要素部品の劣化にさらに加担する。したがって、採掘歯とアダプタの間の重要な連結が、摩耗を加速させる状態にさらされ、歯ポケットの故障、および／または非常に早い段階でのアダプタ交換をもたらす可能性がある。
【０００７】
地面係合操作中に各歯組立体に分与される垂直負荷は重要なものであるが、歯に分与される水平または横方向負荷もまた問題である。例えば、理解できるように、リッパおよび同様の地面係合機器に取り付けられた採掘歯に分与される水平負荷および力が重要である場合がある。したがって、各採掘歯組立体は、通常の操作中にそこに分与される水平負荷と垂直負荷の両方に対処するように構成する必要がある。当然、掘削歯が操作中に破損した場合、破損した歯構成要素が掘削された材料の残りと混ざり合うことが、後の操作、すなわち粉砕操作における重要なマテリアル・ハンドリング上の問題を生じる可能性がある。歯またはポイントが失われた場合、アダプタの鼻部分が厳しい摩耗条件に抵抗できるようになっていないため、アダプタが急速に損壊されることになる。さらに、特に掘削機バケットまたは積載器を考慮するとき、各歯組立体の水平幅を、掘削機器またはバケットの前方縁部またはリップに沿って適切な数の歯を収容できるように調整する必要がある。
【０００８】
アダプタへの掘削または採掘歯の固定は、２つの相反する要求の折り合いを必要とする。一方で、アダプタに歯を固定する方法は、掘削操作中に大きな衝撃負荷を受けても、歯とアダプタを動作可能な関係で維持するのに十分強くなければならない。それでも、歯の交換が必要である、または望まれるときに、アダプタに歯を固定するためのピンが簡単に取外し可能でなければならない。しばしば、特に現場条件では、保持ピンの取外し／交換が、比較的原始的な条件下で実施される。典型的には、保持ピンは、ハンマおよびドリフト・ピンのみを用いて取り外せなければならず、これは、きつく保持されたロック係合を克服することを困難にする。
【０００９】
これまで、アダプタに掘削歯を固定するための周知のピン留めシステムは、歯およびアダプタにある開口を介して水平方向または垂直方向に１本のピンまたは複数のより短いピンを挿入することを含んでいた。垂直方向に向けられたピン・システムは、ピンへの接近のしやすさを高めることが有利である。保持ピンの垂直方向付けは、ハンマを用いて保持ピンを打つための接近のしやすさを高めはするが、保持ピンを岩および他の採掘される媒介物に露出させ、それによりピンが摩耗し、極端な場合には保持ピンが外れる。さらに、垂直ピン保持システムを用いると、掘削機器の垂直方向移動が、垂直方向に向けられたピン・システムに対して働く傾向があり、それがピン・システムを摩耗させ、極端な場合には外れさせ、それにより歯とアダプタが、掘削操作中に意図的でなく分離される。
【００１０】
水平方向ピン留めシステムは、採掘歯とアダプタの固定取付けを可能にするが、それに伴ういくつかの欠点も有する。理解されるように、掘削機器の前縁部またはリップにわたって固定されるとき、隣接する採掘歯組立体および／または摩耗シュラウド間の横方向または水平方向空間が最小限に抑えられる。そのような狭い空間の制約は、採掘歯の設置または取外し中に水平方向に配置される保持ピンを水平方向に打込むことを困難にする。実際、採掘歯組立体に対して水平保持ピンを打込む問題に特に対処する別の産業が知られており、水平ピン留めシステムに備わる問題に対処するために特別なデバイスが提案されている。
【００１１】
したがって、掘削操作中に歯組立体に分与される極端な負荷条件に対処することができる高い強度特性を与える採掘歯組立体であって、その構成が、これまでに知られている水平および垂直ピン留めシステムに伴う問題および難点を回避するピン留めシステムに向いている組立体が必要であり、かつ望まれている。
【００１２】
（発明の概要）
上述したことを鑑みて、本発明によれば、アダプタと、採掘または掘削歯と、前記アダプタと歯を互いに動作可能な組合せで相互接続するためのピン構造とを含んでいる複数部片掘削歯組立体が提供される。歯とアダプタは、それらの間に独特に構成されたインターフェースまたは連結を有する。さらに、採掘歯とアダプタの間の連結は、有利には、上述した垂直ピン・システムおよび水平ピン・システムに備わる問題を避け、それと共にこれまで知られていない他の利点を生み出すようにピン構造を指向させるように構成されている。
【００１３】
本発明の複数部片歯組立体用のアダプタは、長手方向中心線に沿って互いに軸方向に位置合わせされたベース部分と鼻部分とを有する。アダプタのベース部分は、掘削機器へのアダプタの取付けを可能にするように構成されている。本発明の一態様によれば、アダプタの鼻部分が、アダプタの長手方向中心線のそれぞれ上方および下方に配設された上面および底面を有する。少なくともアダプタの鼻部分にある上面は、鼻部分の後端部から前方に、かつ鼻部分のある長さ方向距離にわたって長手方向に延在する共通縁部に沿って互いに接合された２つの側面またはファセットを有する。アダプタの上面を形成する各側面またはファセットは、アダプタの長手方向中心線の対向する横側部に配置される。アダプタはさらに、採掘または掘削歯とアダプタを互いに動作可能な組合せで取外し可能に固定し保持するために使用されるピン構造を収容するように構成されている。本発明の１つの好ましい形態では、同様に、アダプタの鼻部分の底面が、アダプタの鼻部分の後端部から前方に、かつ鼻部分のある長さ方向距離にわたって長手方向に延在する共通縁部に沿って互いに接合された２つの側面またはファセットを有する。アダプタの鼻部分の底面にある側面またはファセットは、上面にあるものと同様に、アダプタの長手方向軸の対向する横側部に配置されている。
【００１４】
本発明の掘削歯組立体の採掘歯は、前方端部および後方端部を有する。歯の後方端部は、内部にアダプタの鼻部の主要な長さ方向セクションを収容するように構成されためくら穴またはソケットを画定する。採掘または掘削歯はさらに、ピン構造を収容するためのアダプタにおける構成と協働するように構成されている。
【００１５】
アダプタと採掘歯を互いに動作可能な組合せで保持するためのピン構成は、本発明の精神および範囲から逸れるまたは逸脱することなく無数の異なる設計を取ることができる。１つの形態では、保持ピンは、好ましくは細長い構成を有し、それによりアダプタにある穴を介して端部方向に進み、採掘歯によって画定された軸方向に位置合わせされた穴に少なくとも部分的に延在することができるようになっている。別法として、ピン構造は、採掘歯にある軸方向に位置合わせされた穴を介して部分的に延在し、その対向する端部の中間で、アダプタに画定された外縁にある開いたチャネルに動作可能に係合する。別の形態では、ピン構造は、アダプタに形成された凹部内に進み、歯にある凹部と取外し可能な関係で延在する移動可能な移動止めまたはピンの形を取ることができ、それにより採掘歯とアダプタを互いに動作可能な関係で維持する。当業者には理解されるように、ピン構造はさらに、アダプタおよび歯に関する保持ピンの意図的でない端部方向での移動を妨げるための何らかの形の機構またはデバイスを含んでいる。
【００１６】
掘削歯組立体のアダプタおよび採掘歯は、掘削操作中に歯組立体を安定させるための支持部を備えて構成されることが好ましい。１つの好ましい形態では、歯およびアダプタを安定させるための支持部はそれぞれ、アダプタの上面および底面と、歯の対応する領域とに設けられた概ね水平な面および概ね垂直な面を含んでいる。
【００１７】
本発明の好ましい形態では、アダプタの鼻部分にある上面を形成する２つの側面は、下向きに配設されており、または角度を付けられており、歯とアダプタの間の連結に安定性を加えるための概ね平面の構成を有する。さらに、アダプタの鼻部分にある底面の２つの側面は、好ましくは上向きに配設されており、または角度を付けられており、同様に概ね平面の構成を有して、アダプタと採掘歯の間の連結に安定性をさらに加える。典型的には概ねくさび形のプロファイルを取る歯設計に適合するように、上面および底面の側面またはファセットは、アダプタの鼻部分の自由端部に向かって下方向に傾斜し、それにより互いに対してある収束角度で配設される。強度、耐久性、および剛性を加えるために、アダプタは、鍛造操作の結果として形成されることが好ましい。
【００１８】
本発明の最も好ましい形態は、アダプタの鼻部分に四辺形断面形状を与える。しかし、これまでに知られている他のアダプタにある鼻部分とは異なり、本発明の好ましい形態の鼻部分の四辺形状もしくは概ね長方形の断面形状または構成は、アダプタのベース部分の向きに対して約２５°から約６５°の間の範囲内にある角度をなしている。本発明の最も好ましい形態では、アダプタの鼻部分の長方形に構成された断面は、アダプタのベース部分に対して約４５℃の角度をなしている。別法として、アダプタの鼻部分の上面と底面の側面を接合する共通縁部を、第１の距離だけ離隔することができ、この第１の距離は、アダプタの長手方向中心線の一方または他方の横側部に配置されたアダプタの鼻部分の上面と底面の側面を接合する、直径方向で対向し、長手方向に延在する共通縁部を離隔する第２の距離よりも大きい。この独特に構成された設計は、アダプタの鼻部分の強度を高め、それによりその耐性および動作可能有用性に加担する。
【００１９】
典型的には、掘削歯組立体の先端または歯が、概ねくさび形の側面プロファイルを有する。歯は、その前方端部にわたって横方向に延在して地表面への貫入を向上し、かつそれが接続される掘削機器またはバケットの縁部またはリップに概ね平行に延在する地面貫入縁部を有する。上述したように、採掘歯の後端部は、歯の後端部に開いており、内部にアダプタの鼻部分を摺動可能に収容することを可能にするめくら穴を画定する。
【００２０】
本発明の別の態様は、後端部の構成、より具体的には歯とアダプタの間の連結の一部を形成するめくら穴の構成に関する。採掘歯によって画定されるめくら穴は、歯の長手方向中心線の対向する側部に配設された上面および底面を含んでいる。理解されるように、歯の後端部で画定されるめくら穴の断面形状は、アダプタの鼻部分の断面形状に適合する。
【００２１】
例示された実施形態では、歯にあるめくら穴の上面は、２つの側面またはファセットによって画定され、各側面またはファセットが、歯の地面貫入縁部に対して約２５°と約６５°の間の範囲内にある鋭角で延在する。歯によって画定されるめくら穴またはソケットの上面を形成する各側面は、歯の長手方向中心線の対向する横側部に配置され、それらの間に延在する共通縁部を有する。本発明の１つの好ましい形態では、歯にあるめくら穴の底面または下面が、同様に、２つの側面またはファセットによって画定され、各側面またはファセットが、歯の地面貫入縁部に対して約２５°と約６５°の間の範囲内にある鋭角で延在する。歯によって画定されるめくら穴またはソケットの底面または下面を形成する各側面は、歯の長手方向中心線の対向する横側部に配置され、それらの間に延在する共通縁部を有する。採掘歯はさらに、歯によって画定されためくら穴の上面の側面またはファセットの１つに好ましくは概ね垂直に延在する軸を規定する、保持ピン構造を収容するように構成された凹部を画定する。
【００２２】
本発明の１つの好ましい形態では、歯によって画定されためくら穴の上面を形成する２つの側面が、概ね平面の構成を有する。さらに、そのように構成された実施形態では、同様に、歯のめくら穴の底面を画定する各側面が平面構成を有することが好ましい。この好ましい設計では、歯によって画定されるめくら穴が、その主要な長さ方向部分に沿って四辺形断面形状を有する。特に、めくら穴の四辺形状、好ましくは概ね長方形の断面形状が、歯の横方向地面係合縁部に対して約２５°と約６５°の間の範囲内にある角度をなしている。本発明の最も好ましい形態では、採掘歯は、鍛造処理を使用して製作され、それにより過酷な、かつ要求の厳しい環境での、その強度、剛性、および耐摩耗性が高くなる。
【００２３】
本発明の１つの形態では、上述したいくつかのタイプの保持ピン構造を収容するために、アダプタの鼻部分に画定された穴と、採掘歯にある位置合わせされた穴とが、互いに相補的に配設されて、細長い保持ピンの端部方向への通過に対処し、その後、そのピンを歯およびアダプタと動作可能な関係で維持する。本発明の別の態様によれば、アダプタの鼻部分に画定される穴が、アダプタの鼻部分の上面および底面の対向する横側面を横切る軸に沿って配設される。本発明の別の態様によれば、内部に保持ピン構造の少なくとも一部を収容するための、採掘歯によって画定される凹部が、歯にある前方切削縁部に対して約２５°と６５°の間の範囲内にある角度で配設された軸を規定する。
【００２４】
本発明の様々な実施形態では、保持ピン構造の軸が、好ましくは、それぞれアダプタの鼻部分または歯のめくら穴の上面の１つの側面またはファセットに概ね垂直に延在する。この保持ピン構造の傾斜した、または傾けられた方向付けが、いくつかのこれまで知られていない利点を与える。第１に、ピン構造の傾斜した方向付けが、採掘歯の修理および交換中、特に保持ピン構造の挿入および取外しに関わるときに人間工学上の利点を与える。そのような人間工学上の利点は、採掘歯がそこで修理および／または交換されるバケットまたは道具の配設に応じてさらに明白になる。さらに、保持ピン構造の傾斜した方向付けは、採掘歯組立体の組立て中にアダプタに対する採掘歯の適切な方向付けを視覚的に示すことを可能にする。当業者によって理解されるように、いくつかの採掘または掘削歯は、それが取り付けられるバケットまたは地面係合具に対して特定の迎え角で故意に設計されている。しばしば、採掘歯がバケットに不正確に取り付けられ、それにより特に設計された利点を失う。本発明では、ピン構造の傾斜した方向付けが、組立て中に歯およびアダプタの適切な方向付けを与え、それにより使用者が、採掘歯に特に設計された利点を十分活用することができるようになる。
【００２５】
本発明を理解すればわかるように、かつ以下さらに詳細に記述するように、間に連結を形成する採掘歯とアダプタの構成要素の角度を付けた方向付けは、以前の採掘歯組立体設計から大幅に変更されており、この設計を従来技術からはっきりと区別し、それと同時に間にある連結に優れた強度を与える。アダプタの鼻部分の上面を形成するファセット、および歯にあるめくら穴を角度をつけて配設することは、有利には、歯とアダプタの間の緩い嵌合に関する自己中心合わせ効果を促進する。さらに、アダプタの鼻部分にある上面、および歯にあるめくら穴の上面を形成するファセットを角度を付けて配設することが、歯組立体の構成要素部品間の連結での表面領域接触の増大（アダプタのベース部分および歯の先端部と並んで指向された、または配設された同様の形状の断面領域に比べて）をもたらし、それにより、より広い領域にわたって地面係合操作中に分与される負荷を分配するというこの部分の能力に加担する。
【００２６】
歯とアダプタの間の連結を形成する構成要素部品の角度を付けた変形形態はさらに、有利には、厳しく、制限のある垂直または水平方向付け以外で保持ピン構造を配設する。以前の構成に適合させるのではなく、本発明の連結の構成要素部品に与えられる角度をなす関係により、保持ピンは同様に、水平面に対して約２５°と約６５°の間の範囲内にある水平方向に対する角度をなし、それにより上述の利点をその他の利点と共に生み出すことが可能になる。すなわち、ピン構造の角度付き方向付けでは、掘削される材料、および垂直方向に向けられたピン構成に通常分与される掘削機器の垂直方向移動または採掘力が、掘削操作中に本発明の保持ピン構成に対して有意な不利益な効果をあまり与えない。本発明によって開示される新たな設計から理解される別の利点は、増大された空間に関し、それが、保持ピンが概ね水平な向きに配設された採掘または掘削歯設計と比べて保持ピンに対する実質的に邪魔されない接近しやすさを与える。
【００２７】
本発明のこれらおよび多数の他の目的、狙い、および利点は、以下の詳細な説明、図面、および上記の特許請求の範囲から容易に明らかになろう。
【００２８】
（本発明の詳細な説明）
本発明は多数の形態での実施が可能であるが、本明細書の開示は本発明の例を記述するものとみなすべきであり、それらが、例示し説明する特定の実施形態に本発明を限定するものではないことを理解した上で、本発明の様々な好ましい実施形態を図面に示し、本明細書で以後説明する。
【００２９】
ここで図面を参照すると、同じ参照番号が複数の図を通じて同じ部分を示し、図１には、本発明の様々な原理および異なる態様を実施する掘削歯組立体１０が示されている。図示されるように、掘削歯組立体１０は複数部片構成であり、互いに１つの位置または向きで保持されたアダプタまたは支持体１２と掘削歯１４とを含んでいる。図１に示される実施形態では、保持器ピン装置１６が、アダプタ１２と掘削歯１４を互いに動作可能な組合せで取外し可能に相互接続して維持する。
【００３０】
図１では、掘削バケットやその類の前方リップ２０など、掘削機器１８に取り付けられた掘削歯組立体がただ１つだけ示されているが、掘削機器の典型的な部片では、歯組立体１０と実質的に同一な複数の横方向に離隔された歯組立体が地面への係合の向きでバケット・リップ２０から前方に延在することを当業者は理解されよう。さらに当業者に理解されるように、掘削歯組立体１０が接続されるバケット、ショベル、または掘削機器の他の部片は、掘削操作中に垂直方向と水平方向の両方で移動する。
【００３１】
図１〜図４に示されるように、アダプタまたは支持体１２は、長手方向中心線２２を規定する細長い自由端部構成を有している。アダプタまたは支持体１２は、従来のベース部分２４と、地面掘削装置またはバケット１８の前方縁部またはリップ２０から片持ちされた形でベース部分２４から前方に延在する、軸方向に位置合わせされた鼻部分２６とを含んでいる。アダプタ１２のベース部分２４は、地面係合装置１８に取り付けられるように構成されている。いくらか大きな形態の機器では、アダプタ１２のベース部分２４が、例えば従来のくさび係止機構（図示せず）によって、地表掘削装置のショベルまたはディッパ・バケット１８の前方リップ２０に取外し可能に固定されるように構成されている。典型的には、掘削歯１４が、アダプタ１２の鼻部分２６に沿って、かつそのまわりに端部で嵌まる。好ましい形態では、アダプタ１２が鍛造操作の結果として形成され、それによりアダプタ１２に強度および剛性が加えられる。
【００３２】
図３、図４、および図５に示されるように、アダプタ１２の鼻部分２６は、角度が付いて収束するそれぞれ上面および底面外部表面３０および４０を含んでいる前方に先細になった構成を有する。上面および底面３０および４０は、それぞれアダプタ１２の長手方向中心線２２の概ね上方および下方に配設される。本発明の好ましい形態では、図４、図５、および図７に示されるように、アダプタ１２のそれぞれ外部上面および外部底面３０、４０は、アダプタ１２の末端部領域３３に向けて配置されたそれぞれの凹部領域３２、４２をそれぞれ備えている。好ましくは、凹部領域３２、４２は、表面３０、４０に、アダプタ１２の長手方向中心線２２に関して均等に配設される。各凹部領域３２、４２は、アダプタ１２の表面３０、４０上に安定表面またはランドを画定する。
【００３３】
各ランド３２、４２は、アダプタ１２にあるそれぞれの傾斜面３０、４０から内側に突出して、アダプタ１２の長手方向中心線２２に概ね平行に延在する概ね平坦なまたは水平な面３４、４４を画定する。理解されるように、アダプタ１２の上面および底面３０、４０上の平坦部または概ね水平な面３４、４４間で所定の垂直距離が測定可能である。さらに、各ランド３２、４２はそれぞれ概ね垂直な安定壁３５、４５を含んでいる。以下に説明するように、アダプタ１２の上面および底面３０および３２にあるそれぞれのランド３２、４２は、掘削操作中に歯組立体に通常分与される極端な垂直負荷を吸収するようにより大きな負荷分配を与え、各安定ランド３２、４２上にあるそれぞれの垂直安定壁３５、４５は、同様に、掘削操作中に歯組立体に通常分与される極端な水平負荷を吸収する助けをするように追加の垂直支承面を与える。
【００３４】
本発明の顕著な特徴の１つは、アダプタ１２の鼻部分２６の独特な構成に関する。図４、図６、および図７に示されるように、アダプタ１２の上面３０は、共通上縁部３８に沿って互いに接合され、ベース部分２４からアダプタ１２に沿って前方に延在する２つの下向きに配設された側面またはファセット３６および３７を有する。図示されるように、アダプタ１２の上面３０を形成する側面またはファセット３６、３７は、アダプタ１２の長手方向中心線２２の対向する横側部に配置される。２つの側面３６、３７を接合する共通上縁部３８は、アダプタ１２の主要な長さにわたって延在し、その長手方向中心線２２に沿って概ね中心に配設される。本発明の１つの好ましい形態では、アダプタ１２の上面３０を形成する側面３６、３７は、アダプタ１２の鼻部分２６の自由端部に向けて長手方向下向きに傾斜、または勾配が付いている。
【００３５】
本発明の１つの好ましい形態では、アダプタ１２の上面３０を形成する下向きに配設された側面３６、３７がそれぞれ、概ね平面の構成を有する。本発明のこの形態では、アダプタ１２の上面を形成する側面３６、３７はそれぞれ、水平面に対して約４５°の角度で傾斜している。
【００３６】
本発明の１つの好ましい形態では、図６に最も良く示されるように、アダプタ１２の底面４０が、上面３０に対して相補的な構成を有する。すなわち、アダプタ１２の底面または下面４０が、共通底縁部または下縁部４８に沿って互いに接合され、ベース部分２４からアダプタ１２に沿って前方に延在する２つの上向きに配設された側面またはファセット４６および４７を有する。図示されるように、アダプタ１２の底面４０を形成する側面またはファセット４６、４７は、アダプタ１２の長手方向中心線２２の対向する横側部に配置される。２つの側面４６、４７を接合する共通下縁部または底縁部４８は、アダプタ１２の主要な長さにわたって延在し、その長手方向中心線２２に沿って概ね中心に配設される。本発明の１つの好ましい形態では、底面４０の側面４６、４７は、アダプタ１２の鼻部分２６の自由端部に向けて長手方向下向きに傾斜、または勾配が付いている。
【００３７】
本発明の１つの好ましい形態では、アダプタ１２の底面または下面４０を形成する側面４６、４７がそれぞれ、概ね平面の構成を有する。本発明のこの形態では、アダプタ１２の上面を形成する側面４６、４７はそれぞれ、水平面に対して約４５°の角度で傾斜している。
【００３８】
アダプタ１２の上面３０を形成する側面３６、３７と、下面または底面４０を形成する側面４６、４７とが概ね平面の構成を有して構成されている本発明の実施形態では、図６に示されるように、アダプタ１２の鼻部分２６が、その主要な長さ方向の長手方向距離にわたって概ね長方形断面構成を備えている。それぞれ上面および底面３０および４０の側面３６、３７および４６、４７がアダプタ１２の末端部に向かって収束するため、アダプタ１２の鼻部分２６の長方形断面形状は、その自由末端部３３から後方に向けて距離が測定されるのに応じて増大する。
【００３９】
本発明のこの実施形態では、アダプタ１２の長手方向中心線２２の一方の側に配設された、それぞれ上面および底面３０および４０を形成する角度が付いて配設された側面３６と４６が、同様に、アダプタ１２のベース部分２４から長手方向前方に延在する共通側縁部３９に沿って互いに接合されている。同様に、図６に示される本発明の実施形態では、アダプタ１２の長手方向軸２２の反対の側に配設された、それぞれ上面および底面３０および４０の角度が付いて配設された側面３７と４７が、アダプタ１２のベース部分２４から長手方向前方に延在する共通側縁部４９に沿って互いに接合されている。
【００４０】
図６に示される本発明の実施形態では、アダプタ１２の鼻部分２６の主要な長さ方向セクションが、アダプタ１２のベース部分２４に対して約４５°の角度をなしている。したがって、アダプタ１２にわたって、かつそれぞれ上面および底面３０および４０にある共通上縁部および底縁部３８と４８の間で測定可能な垂直距離ＶＤが、アダプタ１２のそれぞれ上面および底面３０、４０にある２つの対向する側面のいずれかにわたって測定可能な距離よりもかなり大きくなる。同様に、アダプタ１２にわたって、かつそれぞれ上面３０および底面４０にある共通側縁部３９と４９の間で測定可能な水平距離ＨＤが、アダプタ１２のそれぞれ上面３０および底面４０にある２つの対向する側面のいずれかにわたって測定可能な距離よりもかなり大きくなる。
【００４１】
アダプタ１２の鼻部分２６はさらに、ピン保持装置１６を収容するための凹部または穴５０を画定する。図１〜図７に示される本発明の実施形態では、凹部または穴５０が、アダプタ１２を通って延在し、対向する開いた端部を有する。図６に示されるように、穴または凹部５０は、アダプタ１２の長手方向軸の対向する横側部に配設された、それぞれ上面３０および底面４０の対向する側面３６、４７を横切る軸５２に沿って配設される。例示されている実施形態では、凹部または穴５０の軸５２が、水平面に対して約４５°の角度で配設される。本発明の最も好ましい形態では、アダプタ１２の製作を容易にするために、凹部または穴５０の軸５２が、アダプタ１２の上面３０および底面４０を形成する側面の少なくとも１つに概ね垂直に延在する。当業者に理解されるように、穴５０は、アダプタ１２と掘削歯１４を互いに動作可能な組合せで取外し可能に保持するように働く細長い固定具１６を収容するような大きさにされて構成される。
【００４２】
複数部片掘削歯１０が組み立てられたとき、掘削歯１４は、アダプタ１２の鼻部分２６の長さ方向セクションに沿って、かつそのまわりに端部で収容されるように構成されている。図１、図２、図８、および図９に示されるように、掘削歯１４は、前方端部５７にわたって横方向に延在する横方向切削または地面貫入縁部５６を有し、かつ中空後方取付け端部５８を備えている、中心線５４を規定する細長いくさび形状を有する。アダプタ１２に組み立てられたとき、切削または地面貫入縁部５６は、概ね水平に、したがってそれが動作可能に接続される掘削機器の縁部またはリップ２０（図１）と概ね平行に延在する。当業者に理解されるように、中空取付け端部５８は、歯１４を端部でアダプタ１２に嵌め合わせることを可能にする。本発明の１つの好ましい形態では、歯１４が鍛造操作の結果として形成され、それによりその強度および剛性が高められている。
【００４３】
図示されるように、歯１４は、それぞれ前方切削縁部５６から後方に延在し、かつ歯１４の後端部５９に向かって延在する上側外面６０および下側外面６２を含んでいる。表面６０、６２は、縁部５６から後方に延在するにつれ、互いに角度が付いて分かれ、離れていく。図８、図９、図１１および図１２に示されるように、歯１４の上面または上側外面６０は、横縁部５６（図１）から後方に延在する特別に構成された凹部６４を有して構成され、歯１４がそれに対する摩耗により鈍くなるのを防ぐ。図１３に示されるように、歯１４およびその上面６０の断面形状は、その切削縁部５６（図１）から後方に向けて測定された距離に応じて大幅に変化する。
【００４４】
本明細書で以下考察するタイプの複数部片歯組立体で従来そうであるように、図１０に示されるように、歯１４の後部５８が、歯１４の後端部に開いているめくら穴またはソケット６８を画定する。本発明の１つの好ましい形態では、図９に示されるように、後端部５８に開いているめくら穴６８の縁部が、そのまわりに延在する内側に向けられた半径６９を有し、端部でのアダプタ１２の鼻部分２６の挿入を容易にし、雌雄連結関係になるように案内する、または歯１４と嵌まり合うようにする。
【００４５】
図９および図１０に示されるように、歯１４によって画定されためくら穴６８は、歯１４の前方縁部５６に向けてめくら穴６８の開いた後端部から前方に延在し、アダプタ１２の鼻部分２６に配設されたそれぞれ上面３０および底面４０と実質的に同じ角度で互いに向けて角度が付いて収束するそれぞれ上内面７０および底内面８０を含んでいる。上内面７０および底内面８０は、端部壁６７内で終端する。それぞれ上面７０および底面８０は通常、歯１４の長手方向中心線５４のそれぞれ概ね上方および下方に配設される。本発明の１つの好ましい形態では、歯１４のめくら穴またはソケット６８によって画定されるそれぞれ内部上面７０および底面８０がさらに、めくら穴６８の末端壁６７に向けて配置され、そこから後方に延在する一対の安定ランド７２および８２をそれぞれ含んでいる。安定ランド７２、８２は、アダプタ１２と歯１４が互いに動作可能な組合せで配置されたときに、鼻部分２６にあるランド３２、４２とそれぞれ対合するように配設され、構成されている。
【００４６】
図９、図１０、図１４、および図１５に示されるように、各安定ランド７２、８２は、歯１４の中心線５４に向けてそれぞれ上面７０および底面８０から内側に突出して、歯１４の中心線５４に概ね平行に延在する概ね平坦なまたは水平な面７４、８４を画定する。理解されるように、歯１４によって画定されるめくら穴６８のそれぞれ上面７０および底面８０にある平坦または概ね水平な面７４、８４の間で、所定の垂直距離を測定可能である。さらに、各安定ランド７２、８２は、それぞれ概ね垂直な安定壁７５、８５を含んでいる。
【００４７】
本発明のこの態様を理解することによりわかるように、歯１４にあるランド７２、８２がアダプタ１２の鼻部分２６にあるランド３２、４２と組み合わさり、掘削操作中に歯組立体１０に通常分与される極端な垂直負荷を吸収して分配する。さらに、歯１４によって画定されるめくら穴６８のそれぞれ上面７０および底面８０にある安定壁７５、８５が、アダプタ１２にある安定壁３５、４５（図５）と動作可能に組み合わさり、通常の掘削操作中に歯組立体１０に通常分与される極端な水平負荷を分配して吸収する助けをするように追加の支承面を与える。
【００４８】
本発明の別の顕著な特徴は、歯１４によって画定されためくら穴６８の独特な構成に関する。図１０に示されるように、めくら穴６８の一部を画定する上面７０は、共通上縁部７８に沿って互いに接合され、めくら穴６８の開いた端部から前方に延在する２つの下向きに配設された側面７６および７７を有する。図示されるように、めくら穴６８の上面７０を画定する側面７６、７７は、歯１４の長手方向中心線５４の対向する横側部に配置されている。めくら穴６８の上面７０の２つの側面７６、７７を接合する共通上縁部７８は、めくら穴６８の主要な長さにわたって延在し、歯１４の長手方向中心線５４に関して概ね中心に配設される。本発明の１つの好ましい形態では、めくら穴の上面７０を画定する側面７６および７７は、長手方向で、めくら穴６８の末端壁６７に向かって下向きに勾配が付いている、または傾斜している。
【００４９】
本発明の１つの好ましい形態では、歯１４によって画定されるめくら穴６８の上面７０を形成する側面７６、７７がそれぞれ、概ね平面の構成を有する。本発明のこの形態では、めくら穴６８の上面７０を形成する側面７６、７７はそれぞれ、歯１４の前方切削縁部５６に対して約４５°の角度で傾斜している。
【００５０】
図１０に示される本発明の実施形態では、めくら穴６８の一部を形成する底面８０が、歯１４によって画定されためくら穴６８の上面７０に対して相補的な構成を有する。すなわち、めくら穴６８を形成する底面または下面８０が、歯１４によって画定されためくら穴６８の開いた端部から前方に延在する共通底縁部８８に沿って互いに接合する２つの上向きに配設された側面８６および８７を有する。図示されるように、めくら穴６８の底面または下面８０を形成する側面８６、８７は、歯１４の長手方向中心線５４の対向する横側部に配置される。めくら穴６８の側面８６と８７を接合する共通下縁部または底縁部８８は、めくら穴の主要な長さにわたって延在し、歯１４の長手方向中心線５４に対して概ね中心に配設される。
【００５１】
本発明の１つの好ましい形態では、歯１４によって画定されるめくら穴６８の底面または下面８０を形成する側面８６、８７がそれぞれ、概ね平面の構成を有する。本発明のこの形態では、めくら穴６８の上面８０を形成する側面８６、８７はそれぞれ、歯１４の前方切削縁部５６に対して約４５℃の角度で傾斜している。
【００５２】
めくら穴６８の上面７０を形成する側面７６、７７と、めくら穴６８の下面または底面８０を形成する側面８６、８７とが概ね平坦な面を有して構成されている本発明の実施形態では、図１０に示されるように、めくら穴６８が、その主要な長さ方向部分に沿って概ね長方形の断面形状を備えている。上面７０の側面７６、７７と、めくら穴６８の底面８０を形成する側面８６、８７とはそれぞれ、末端壁６７に向けて勾配が付いているため、めくら穴６８の断面形状は、その後方開端部５８から前方に測定するとき、面積が減少していく。さらに、図１０に例示される本発明の実施形態に示されるように、めくら穴６８は、前方切削または貫入縁部に対して約４５°の角度をなしている。
【００５３】
図１０に例示される本発明の実施形態では、めくら穴６８のそれぞれ上面７０および底面８０を部分的に形成し、歯１４の長手方向中心線５４の一方の側に配設された、角度が付いて配設された側面７６および８６が、前と同様に、歯１４によって画定されためくら穴６８の開いた端部から長手方向前方に延在する共通側縁部７９に沿って互いに接合されている。同様に、図１０に示される実施形態では、めくら穴６８のそれぞれ上面７０および底面８０を部分的に形成し、歯１４の長手方向中心線５４の反対の側に配設された、角度が付いて配設された側面７７および８７が、歯１４によって画定されためくら穴６８の開いた端部から長手方向前方に延在する共通側縁部８９に沿って互いに接合されている。
【００５４】
アダプタ１２と共働するように、掘削または採掘歯１４はさらに、保持器ピン装置１６の長さ方向部分を収容するように凹部を付けられている。図８、図９、図１６、および図１７に示される実施形態では、凹部を付けられた歯１４が、一対の軸方向に位置合わせされた貫通穴または開口９０と９２を画定する。図１６に示されるように、穴９０、９２は、上面７０および底面８０の直径方向で対向する側面７６と８７を横切り、歯１４によって画定されためくら穴６８を通過する軸９４を中心として位置合わせされている。本発明の例示された形態では、歯１４の穴９０、９２によって規定される軸９４が、歯１４の地面係合または貫入縁部５６に対して約４５°の角度で配設される。歯１４にある穴または開口９０、９２は、そこを介してピン保持装置または固定具１６が端部方向に通るのに対処するように構成されており、アダプタ１２と歯１４を互いに動作可能な関係で取外し可能に相互接続することを可能にする。当業者に理解されるように、かつ当業者に知られているように、歯１４にある穴９０、９２と、アダプタ１２の鼻部分２６にある穴５０との前後関係は、アダプタ１２および歯１４に対して固定具１６が係止された関係で維持されるように配置されており、それにより故意でない固定具１６の端部方向への移動を妨げる。
【００５５】
アダプタ１２と歯１４を互いに動作可能な組合せで取外し可能に相互接続し維持するための保持器ピン構造または装置１６は、本発明の精神および範囲から逸れるまたは逸脱することなく無数の異なる形態を取ることができる。一形態では、保持器ピン構造１６は、共に譲渡された１９９８年６月１６日に付与された米国特許第５７６５３０１号に開示されるタイプのものであってよく、その全ての開示を本発明で参照により援用する。図１６および図１７に示される実施形態では、保持器ピン装置１６が、アダプタ１２の鼻部分２６に画定された穴５０を通って端部方向に進み、少なくとも部分的に、歯１４によって画定された各穴または開口９０、９２内に端部方向に延在し、それによりアダプタ１２と歯１４を互いに対して動作可能な組合せで固定すると、言うだけで十分である。図１６および図１７に示される保持器ピン構成１６は、アダプタ１２の鼻部分２６の穴５０内部に収容される細長い中空剛性スリーブ９５と、スリーブ９４の内部にぴったりとしかし摺動可能に嵌め合わされ、スリーブ９４の対向する端部を越えて軸方向に延在して、歯１４にある位置合わせされた穴または開口９０、９２に係合する細長いピン９６とを含んでおり、それによりアダプタ１２と歯１４を互いに動作可能な組合せで取外し可能に相互接続して維持する。
【００５６】
アダプタ１２と歯１４を互いに動作可能な組合せで保持し維持するための保持器ピン構造または固定具１６の別の実施形態が図１８に示される。保持器ピン構造のこの代替形態は、参照番号１１６によって一般に示される。上述した保持器ピン構造または固定具１６の構成要素と同一の、または機能的に類似する固定具のこの代替形態の要素は、固定具１１６のこの実施形態が１００番台の参照番号を使用するということを除き、上で使用したのと同一の参照番号によって示される。
【００５７】
この形態では、固定具１１６は、従来の設計であり、アダプタ１２の鼻部分２６にある穴５０を通過し、そこを越えて軸方向に延在する細長いピン組立体１９４を含んでいる。当技術分野で知られているように、ピン組立体１９４は通常、結合された、そうでなければ間に弾性エラストマー部材１９６を挟んだ一対のピン半分１９５および１９７を含んでいる。ピン半分１９５および１９７は、掘削操作中の端部方向への移動に対してピン組立体１９４を垂直方向に維持するように、その長さに沿って適切に構成されている。
【００５８】
アダプタ１２と歯を互いに動作可能な組合せで保持し維持するための固定具の別の実施形態が図１９に例示される。固定具のこの代替形態は、参照番号２１６によって概ね示される。上述した固定具１６の構成要素と同一の、または機能的に類似する固定具のこの代替形態の要素は、固定具２１６のこの実施形態が２００番台の参照番号を使用するということを除き、上で使用したのと同一の参照番号によって示される。
【００５９】
この形態では、固定具２１６は、従来の設計であり、アダプタ１２の鼻部分２６に画定された穴５０を通過し、そこを越えて端部方向に延在する細長いピン２９４を含んでいる。特に、ピン２９４の対向する自由端部は、歯１４によって画定された軸方向に位置合わせされた穴または開口９０、９２の周縁を少なくとも部分的に通過し、そこに係合する。この形態では、固定具２１６がさらに、好ましくは下端部に向かい、穴５０に対して概ね同心円状の関係にある、アダプタ１２の鼻部分２６によって画定された適切な形状の凹部２９９内部に運ばれることが好ましい弾性スナップ・リング２９８を含んでいる。当業者に理解されるように、細長いピン２９４が付勢されるにつれて、ピン２９４が軸方向に付勢されたとき、リング２９８が半径方向に拡張する。保持器ピン２９４の長さ方向部分がリング２９８を介して延在した後、ピン２９４にある環状溝２９６が、ピンの周りおよび溝２９６内へリング２９８が収縮することを再び可能にし、それにより、ピン２９４がアダプタ１２および歯１４に対して端部方向へ移動するのを通常妨げる。
【００６０】
アダプタと複数部片歯組立体の歯を互いに動作可能な組合せで取外し可能に保持して維持するための保持器ピン構造の別の代替形態が図２０に示される。保持器ピン構造または固定具のこの代替形態は、参照番号３１６によって一般に示される。上述した固定具１６の構成要素と同一の、または機能的に類似する固定具のこの代替形態の要素は、固定具３１６のこの実施形態が３００番台の参照番号を使用することを除き、上で使用したのと同一の参照番号によって示される。
【００６１】
この形態では、保持器ピン構造３１６は従来の設計であり、アダプタ１２の鼻部分２６の上面３０にある隆起リッジまたは上縁部３８をわたって横方向に進み、そこに動作可能に係合する細長いピン３９４を含んでいる。本発明のこの形態では、掘削歯１４は、上面６０の対向する側面に配設された一対の軸方向に位置合わせされた穴または開口３９０および３９２を備えている。さらに、本発明のこの形態では、図２１に示されるように、アダプタ１２の鼻部分２６にある上縁部３８が、横方向に延在する開いた頂部チャネルまたは凹部３５０を備えている。特に、凹部またはチャネル３５０は、横方向にわたって延在し、アダプタ１２の長手方向軸３２２と概ね垂直な軸３５１を規定する。図示されるように、チャネル３５０の対向する端部は、上面３０の対向する側面３６、３７に対して開き、アダプタの中心線の対向する横側部にある。理解されるように、チャネル３５０は、アダプタ１２の鼻部分２６の長さに沿って軸方向に位置決めされ、それにより、保持器ピン構造３１６が歯およびアダプタそれぞれを介して挿入された後、歯とアダプタを互いに取外し可能な組合せで保持する際に、歯１４にある軸方向に位置合わせされた開口３９０、３９２（図２０）と共働する。
【００６２】
理解されるように、歯１４にある軸方向に位置合わせされた穴３９０、３９２と、アダプタ１２にあるチャネル３５０は、保持器ピン構造３１６のピン３９４をぴったりと収容するような大きさにされている。当技術分野で知られている様式では、固定具ピン３９４は、好ましくは細長いスプリット構成を有し、自然弾性偏倚力が、ピン３９４を自然に半径方向外側に拡張するように付勢すると共に、ピン３９４の半径方向収縮を見込んで、ピンが穴３９０、３９２およびチャネル３５０を介して摺動可能に嵌まることを可能にする傾向がある。歯がアダプタに組み立てられた後、穴３９０、３９２がチャネル３５０と位置を合わせ、それにより保持器ピン３９４が端部方向に進むことを可能にする。理解されるように、ピン３９４が通過した後、ピン３９４の長さ方向部分がチャネル３５０と係合し、それによりアダプタに対する歯の端部方向への移動を妨げる。本発明のこの実施形態では、チャネル３５０は、アダプタ１２の限られた領域を介してのみ延在し、それによりアダプタ１２の鼻部分２６に強度を加える。
【００６３】
複数部片歯組立体のアダプタと歯を互いに動作可能な組合せで取外し可能に保持して維持するための保持器ピン構造の別の代替形態が図２２に示される。保持器ピン構造または固定具のこの代替形態は、参照番号４１６によって一般に示される。上述した保持器ピン構造１６の構成要素と同一の、または機能的に類似する保持器ピン構造のこの代替形態の要素は、固定具４１６のこの実施形態が４００番台の参照番号を使用するということを除き、上で使用したのと同一の参照番号によって示される。
【００６４】
この形態では、保持器ピン構造４１６は、採掘または掘削歯１４の一側面に画定された開口４９０を通過し、アダプタ１２の上面４３０の側面４３６に画定されためくら凹部または開口４５０内部に収容されるスタブ固定具４９４を含んでいる。スタブ固定具４９４は、ピン半分４９５および４９７にある対峙する表面に結合されたエラストマー部材４９９によって互いに弾性的に接合された一対の半分４９５および４９７を含んでいる。好ましい形態では、ピン半分４９５と４９７は、互いに前後の関係で配設されており、それにより複数部片掘削歯組立体が組み立てられたとき、ピン構造４１６が、長さ方向で歯１４をアダプタ１２の鼻部分２６上に偏倚する働きをする。
【００６５】
図２３に示されるように、めくら凹部４５０は、スタブ固定具４９４の自由端部を収容するように構成される。例示されるように、めくら凹部または開口４５０は、アダプタ１２の上面４３０の側面４３６に開いており、アダプタ１２の上面４３０の概ね平面の側面４３６に概ね垂直に延在する軸４５２に沿って配設されている。理解されるように、複数部片歯組立体の構成要素が互いに接続された後、凹部４５０は、歯１２にある開口４９０に関して所定の関係で軸方向に配設される。保持器ピン構成４１６が歯１２にある開口４９０を通過した後、保持器ピン構成４１６の長さ方向部分が、凹部４５０内部に収容され、それにより歯１２とアダプタ１４の互いに対する端部方向への移動を妨げる。さらに、この実施形態では、凹部４５０がアダプタ１２の限られた領域を部分的にのみ介して延在するため、アダプタ１２の鼻部分２６が追加の強度および剛性を備えている。
【００６６】
アダプタと複数部片歯組立体の歯とを互いに動作可能な組合せで取外し可能に保持して維持するための保持器ピン構造の別の代替形態が図２４に示される。保持器ピン構造または固定具のこの代替形態は、参照番号５１６によって一般に示される。上述した保持器ピン構造１６の構成要素と同一の、または機能的に類似する保持器ピン構成のこの代替形態の要素は、固定具５１６のこの実施形態が５００番台の参照番号を使用するということを除き、上で使用したのと同一の参照番号によって示される。
【００６７】
この形態では、保持器ピン構造５１６は、１９８６年９月１６日に付与された米国特許第４６１１４１８号に開示されているものとほぼ同様であり、その完全な開示を本明細書に参照により組み込む。ここでは、図２４および図２５に示されるように、保持器ピン構造５１６が弾性的に偏倚される移動止め５９４を含んでいると言うだけで十分である。図２４に示されるように、移動止め５９４は、アダプタ１２の鼻部分２６に画定された凹部または開口５５０の内部に収容される。凹部または開口５９０は、協働するように採掘歯１２に配置され、移動止め５９４の自由端部を収容する。図示されるように、保持器ピン構造５１６を収容するための穴または凹部５５０は、アダプタの鼻部分２６の上面または底面の一方にある側面の平面構成に概ね垂直に配置された軸５５２を規定する。
【００６８】
図２４に示されるように、複数の移動止めを、互いに協働する関係で配置することができる。図２４および図２５に開示されるものと同様の複数の保持器ピン構造５１６が互いに協働する関係で配置されて、歯とアダプタを互いに動作可能な組合せで取外し可能に固定するとき、移動止め５９４の軸方向配置は、アダプタ１２の鼻部分２６の長さに沿った軸方向空間を必要とする場合がある。当業者に理解されるように、歯１４によって画定されためくら穴６８の先端縁部での湾曲表面が、歯とアダプタの組立て中の弾性固定具５９４の圧縮を容易にする。
【００６９】
図２６は、本発明の特徴を実施するアダプタ１２に関する他の形態を示す。アダプタのこの代替形態は、参照番号６１２によって一般に示される。アダプタ１２に関して上述した構成要素と同一の、または機能的に類似するアダプタのこの代替形態の要素は、この実施形態が６００番台の参照番号を使用することを除き、上で使用したのと同一の参照番号によって示される。
【００７０】
本発明のこの実施形態では、アダプタ６１２は、ベース部分６２４と鼻部分６２６を互いに軸方向に位置合わせされた関係で含んでおり、中心線６２２を規定する。アダプタ１２と同様、アダプタ６１２は、好ましくは鍛造操作から製作されて、アダプタ６１２の耐久性、したがって寿命を延ばす。上述したように、アダプタ６１２の鼻部分６２６は、軸方向に細長い先細構成を有し、それぞれ上面および底面６３０および６４０は、鼻部分６２６の自由端部に向かって勾配が付いており、または傾斜しており、収束する。図示されるように、それぞれ上面６３０および底面６４０は、長手方向中心線６２２のそれぞれ上方および下方に配設される。
【００７１】
上面６３０は、アダプタ６１２のベース部分６２４から前方に延在し、長手方向中心線６２２の対向する横側部に配設され、共通上縁部６３８に沿って互いに交わる、または合流する２つの側面またはファセット６３６および６３７を含んでいる。共通上縁部６３８は、アダプタ６１２の鼻部分６２６の主要な長さにわたって延在し、その長手方向中心線６２２に沿って概ね中心に合わせられる。
【００７２】
本発明のこの実施形態では、アダプタ６１２の上面６３０を形成する側面またはファセット６３６、６３７がそれぞれ、概ね平面の構成を有する。さらに、本発明のこの形態では、アダプタ６１２の上面６３０を形成する側面６３６、６３７がそれぞれ、水平面に対して約３５°の角度で傾斜している。
【００７３】
図２６に示されるアダプタの実施形態では、アダプタ６１２の底面６４０が、上面６３０に対して相補的な構成を有する。すなわち、アダプタ６１２の鼻部分６２６の下面または底面６４０が、接合された、または共通底縁部６４８によって互いに合流された、かつアダプタ６１２の長手方向中心線６２２の対向する横側部に配設された２つの側面６４６、６４７を有する。２つの下面または底面６４６、６４７は、同様に、アダプタ６１２のベース部分６２４からその自由端部に向けて前方に延在する。底面６４０を形成する２つの側面６４６、６４７を接合するまたは合流させる共通縁部６４８は、アダプタの鼻部分６２６の主要な長さにわたって延在し、長手方向中心線６２２に対して概ね中心に配設される。
【００７４】
本発明のこの例示された形態では、アダプタ６１２の底面または下面６４０を形成する２つの側面６４６、６４７がそれぞれ概ね平面の構成を有する。さらに、本発明のこの形態では、アダプタ６１２の鼻部分の下面または底面６４０を形成する側面６４６、６４７がそれぞれ、水平面に対して約３５°の角度で傾斜している。
【００７５】
図２６に示される本発明の実施形態では、それぞれ上面６３０および底面６４０を部分的に形成し、アダプタ６１２の長手方向中心線６２２の一方の側に配設された、角度が付いて配設された側面６３６および６４６が、前と同様に、アダプタ６１２のベース部分６２４から長手方向前方に延在する共通側縁部６３９に沿って互いに接合される。同様に、図２６に示される本発明の実施形態では、それぞれ上面６３０および底面６４０を部分的に形成し、アダプタ６１２の長手方向軸６２２の反対の側に配設された、角度が付いて配設された側面６３７、６４７が、アダプタ６１２のベース部分６２４から長手方向前方に延在する共通側縁部６４９に沿って互いに接合される。
【００７６】
それぞれ上面６３０および底面６４０の側面６３６、６３７および６４６、６４７の概ね平面の構成が、アダプタ６１２の鼻部分６２６に、その前方端部から測定される時、断面積が増大する概ね長方形の断面形状を与える。図２６に示される本発明の実施形態では、アダプタ６１２の鼻部分６２６の主要な長さ方向セクションが、アダプタ６１２のベース部分６２４に対して角度をなしている、または傾けられていると言うだけで十分である。
【００７７】
アダプタ６１２の鼻部分６２６は、前と同様に、アダプタ６１２を通って延在し、対向する端部で開いている穴６５０または開口を画定して、アダプタ６１２と歯６１４を互いに動作可能な組合せで保持して維持するために使用される適切な固定具（図示せず）を収容する。図２６に例示されるように、穴６５０は、それぞれ上面の側面６３６、６３７および底面の側面６４６、６４７の少なくとも１つに概ね垂直に配設することができる軸６５２を規定して、穴６５０の製作を容易にする。特に、穴６５０は、アダプタ６１２の鼻部分６２６のそれぞれ上面６３０および底面６４０の直径方向で対向する側面６３６、６４７に対して、対向する端部にて開いている。
【００７８】
図２７は、本発明の特徴を実施するアダプタ１２に関する別の形態を示す。アダプタのこの代替形態は、参照番号７１２によって概ね示される。アダプタ１２に関して上述した構成要素と同一の、または機能的に類似するアダプタのこの代替形態の要素は、この実施形態が７００番台の参照番号を使用したことを除き、上で使用したのと同一の参照番号によって示される。
【００７９】
本発明の好ましい実施形態では、アダプタ７１２が、ベース部分７２４と鼻部分７２６を互いに軸方向に位置合わせされた関係で含んでおり、中心線７２２を規定する。アダプタ１２と同様、アダプタ７１２は、好ましくは鍛造操作から製作されて、アダプタ７１２の耐久性を延ばし、したがって寿命を延ばす。上述したように、アダプタ７１２の鼻部分７２６は、細長いテーパ付き構成を有し、それぞれ上面７３０および底面７４０は、鼻部分７２６の自由端部に向かって勾配が付いており、または傾斜しており、収束する。図示されるように、それぞれ上縁部７３０および底縁部７４０は、長手方向中心線７２２のそれぞれ上方および下方に配設される。
【００８０】
上面７３０は、アダプタ７１２のベース部分７２４から前方に延在し、長手方向中心線７２２の対向する横側部に配設され、共通上縁部７３８に沿って互いに交わる、または合流する２つの側面７３６および７３７を含んでいる。共通上縁部７３８は、アダプタ７１２の鼻部分７２６の主要な長さにわたって延在し、その長手方向中心線７２２に沿って概ね中心に合わせられる。
【００８１】
本発明のこの実施形態では、アダプタ７１２の上面７３０を形成する各側面７３６、７３７が、概ね平面の構成を有する。さらに、本発明のこの形態では、アダプタ７１２の上面７３０を形成する側面７３６、７３７がそれぞれ、水平面に対して約４５°の角度で傾斜している。
【００８２】
図２７に示されるアダプタの実施形態では、アダプタ７１２の底面７４０が、上面７３０に関して同様の構成を有する。すなわち、アダプタ７１２の鼻部分７２６の下面または底面７４０が、接合された、または共通底縁部７４８によって互いに合流された、かつアダプタ７１２の長手方向中心線７２２の対向する横側部に配設された２つの側面７４６、７４７を有する。２つの下面または底面７４６、７４７が、同様に、アダプタ７１２のベース部分７２４からその自由端部へ前方に延びる。底面７４０を形成する２つの側面７４６、７４７を接合する、または合流させる共通縁部７４８は、アダプタ７１２の鼻部分７２６の主要な長さにわたって延在し、長手方向中心線７２２に対して概ね中心に配設される。
【００８３】
本発明のこの例示された形態では、アダプタ７１２の底面または下面７４０を形成する各側面７４６、７４７が、概ね平面の構成を有する。しかし、特に、本発明のこの形態では、アダプタ７１２の鼻部分７２６の下面または底面７４０を形成する側面７４６、７４７が、アダプタ７１２の鼻部分７２６の上面７３０を形成する側面７３６、７３７の傾斜配置とは異なる水平面に対する角度で角度が付いて配設されている。図２７に示される本発明の実施形態では、アダプタ７１２の鼻部分７２６の底面７４０の側面７４６、７４７はそれぞれ、水平面に対して約３５°の角度で傾斜している。当業者に理解されるように、アダプタ７１２の鼻部分７２６のそれぞれ上面７３０および底面７４０を形成する側面７３６、７３７および７４６、７４７の角度の付いた配置を、所望に応じて逆にすることができる。すなわち、本発明の精神および範囲からずれる、または逸脱することなく、上面７３０の側面７３６、７３７を水平面に対して約３５°の角度で配設することができ、アダプタ７１２の鼻部分７２６の底面７４０の側面７４６、７４７を水平面に対して４５°以上の角度をなすようにすることができる。
【００８４】
本発明のこの実施形態では、それぞれ上面７３０および底面７４０を部分的に形成し、アダプタ７１２の長手方向中心線７２２の一方の側に配置された、角度が付いて配置された側面７３６および７４６が、同様に、アダプタ７１２のベース部分７２４から長手方向前方に延在する共通側縁部７３９に沿って互いに接合される。同様に、図２７に示される本発明の実施形態では、それぞれ上面７３０および下面７４０を部分的に形成し、アダプタ７１２の長手方向軸７２２の反対の側に配置された、角度が付いて配置された側面７３７および７４７が、アダプタ７１２のベース部分７２４から長手方向前方に延在する共通側縁部７４９に沿って互いに接合される。
【００８５】
それぞれ上面７３０および底面７４０の側面７３６、７３７および７４６、７４７の概ね平面の構成が、アダプタ７１２の鼻部分７２６に、その前方端部から測定される時、断面積が増大する概ね長方形の断面形状を与える。図２７に示される本発明の実施形態では、アダプタ７１２の鼻部分７２６の主要な長さ方向セクションが、アダプタ７１２のベース部分７２４に対して角度をなしている、または傾けられている。
【００８６】
同様に、アダプタ７１２の鼻部分７２６は、アダプタ７１２を通って延在し、適当な形状の採掘または掘削歯にアダプタ７１２を相互接続するための固定具（図示せず）を収容するようにその対向する端部で開いている穴７５０または開口を画定する。図２７に示されるように、穴７５０は、それぞれ上面の側面７３６、７３７および底面の側面７４６、７４７の少なくとも１つに概ね垂直に配設された軸７５２を規定して、穴７５０の製作を容易にする。特に、穴７５０は、アダプタ７１２の鼻部分７２６のそれぞれ上面７３０および底面７４０の直径方向で対向する側面７３６、７４７に対して、対向する端部で開いている。
【００８７】
図２８は、本発明の原理を実施するアダプタの別の実施形態を示す。アダプタのこの代替形態は、参照番号８１２によって一般に示される。図２８に示された本発明の実施形態は、アダプタの鼻部分の上面および底面を形成する側面の角度配置がそれぞれずらされており、角度が水平面に対して約５５°〜約６５°の間の範囲内にあることを除き、図２６に関して例示し上述したものと実質的に同様である。
【００８８】
本発明の原理を実施するアダプタの別の実施形態が図２９に示される。アダプタのこの代替形態は、参照番号９１２によって一般に示される。アダプタ１２に関して上述した構成要素と同一の、または機能的に類似するアダプタのこの代替形態の要素は、この実施形態が９００番台の参照番号を使用したことを除き、上で使用したのと同一の参照番号によって示される。
【００８９】
本発明のこの実施形態では、アダプタ９１２は、ベース部分９２４と鼻部分９２６を互いに軸方向に位置合わせされた関係で含んでおり、中心線９２２を規定する。アダプタ１２と同様、アダプタ９１２は、好ましくは鍛造操作から製作されて、アダプタ９１２の耐久性、したがって寿命を延ばす。アダプタ９１２の鼻部分９２６は、細長いテーパ付き構成を有し、それぞれ上面９３０および底面９４０は、鼻部分９２６の自由端部に向かって勾配が付いており、または傾斜しており、収束する。図示されるように、それぞれ上面９３０および底面９４０は、長手方向中心線９２２のそれぞれ上方および下方に配設される。
【００９０】
上面９３０は、アダプタ９１２のベース部分９２４から前方に延在し、長手方向中心線９２２の対向する横側部に配設され、共通上縁部９３８に沿って互いに交わる、または合流する２つの側面９３６および９３７を含んでいる。共通上縁部９３８は、アダプタ９１２の鼻部分９２６の主要な長さにわたって延在し、その長手方向中心線９２２に沿って概ね中心に合わせられる。
【００９１】
本発明のこの実施形態では、アダプタ９１２の上面９３０を形成する各側面９３６、９３７が、概ね平面の構成を有する。さらに、本発明のこの形態では、アダプタ９１２の上面９３０を形成する側面９３６、９３７がそれぞれ、水平面に対して約２５°の角度をなしている。
【００９２】
図２９に示されるアダプタの実施形態では、アダプタ９１２の底面９４０が、接合された、または共通底縁部９４８によって互いに合流された、かつアダプタ９１２の長手方向中心線９２２の対向する横側部に配設された２つの側面９４６、９４７を有する。２つの下側面または底側面９４６、９４７が、同様に、アダプタ９１２のベース部分９２４からその自由端部に向かって延在する。底面９４０を形成する２つの側面９４６、９４７を接合する、または合流させる共通縁部９４８は、アダプタ９１２の鼻部分９２６の主要な長さにわたって延在し、長手方向中心線９２２に対して概ね中心に配設される。
【００９３】
本発明のこの例示された形態では、アダプタ９１２の底面または下面９４０を形成する各側面９４６、９４７が、概ね平面の構成を有する。さらに、本発明のこの形態では、アダプタ９１２の鼻部分の下面または底面９４０を形成する側面９４６、９４７がそれぞれ、水平面に対して約４５°の角度で傾斜している。
【００９４】
本発明のこの実施形態では、それぞれ上面９３０および底面９４０を部分的に形成し、アダプタ９１２の長手方向中心線９２２の１つの側に配設された、角度が付いて配設された側面９３６および９４６が、前と同様に、アダプタ９１２のベース部分９２４から長手方向前方に延在する概ね垂直な側面９３９に沿って互いに接合されている。同様に、図２９に示される本発明の実施形態では、アダプタ９１２の長手方向軸９２２の反対の側に配置された、それぞれ上面９３０および底面９４０の角度が付いて配設された側面９３７および９４７が、アダプタ９１２のベース部分９２４から長手方向前方に延在する概ね垂直な側面９４９に沿って互いに接合されている。
【００９５】
アダプタ９１２の鼻部分９２６は、同様に、アダプタ９１２を通って延在し、対向する端部で開いている穴または開口９５０を画定して、アダプタ９１２と掘削または採掘歯を互いに動作可能な組合せで保持して維持するために使用される適切な固定具（図示せず）を収容する。図２９に示されるように、穴９５０は、それぞれ上面９３０の側面９３６、９３７および底面９４０の側面９４６、９４７の少なくとも１つに概ね垂直に配設された軸９５２を規定して、穴９５０の製作を容易にする。
【００９６】
本発明の原理を実施するアダプタの別の実施形態が図３０に示される。アダプタのこの代替形態は、積載機械適用例で特に有用であり、参照番号１０１２によって一般に示される。アダプタ１２に関して上述した構成要素と同一の、または機能的に類似するアダプタのこの代替形態の要素は、この実施形態が１０００番台の参照番号を使用したことを除き、上で使用したのと同一の参照番号によって示される。
【００９７】
本発明のこの実施形態では、アダプタ１０１２が、ベース部分１０２４と鼻部分１０２６を互いに軸方向に位置合わせされた関係で含んでおり、中心線１０２２を規定する。アダプタ１０１２の鼻部分１０２６は、細長い先細構成を有し、それぞれ上面１０３０および底面１０４０は、鼻部分１０２６の自由端部に向かって勾配が付いており、または傾斜しており、収束する。図示されるように、それぞれ上面１０３０および底面１０４０が、長手方向中心線１０２２のそれぞれ上方および下方に配設される。
【００９８】
上面１０３０は、アダプタ１０１２のベース部分１０２４から前方に延在し、長手方向中心線１０２２の対向する横側部に配置され、共通上縁部１０３８に沿って互いに交わる、または合流する２つの側面またはファセット１０３６および１０３７を含んでいる。共通上縁部１０３８は、アダプタ１０１２の鼻部分１０２６の主要な長さにわたって延在し、その長手方向中心線１０２２に沿って概ね中心に合わせられる。
【００９９】
本発明のこの実施形態では、アダプタ１０１２の上面１０３０を形成する各側面またはファセット１０３６、１０３７が概ね平面の構成を有する。さらに、本発明のこの形態では、アダプタ１０１２の上面１０３０を形成する側面１０３６、１０３７が、水平面に対して約３５°と約５５°の間の範囲にある角度で傾斜している。
【０１００】
図３０に示されるアダプタの実施形態では、アダプタ１０１２の底面１０４０が、接合された、または共通底縁部１０４８によって互いに合流された、かつアダプタ１０１２の長手方向中心線１０２２の対向する横側部に配設された２つの側面１０４６、１０４７を有する。２つの下側面または底側面１０４６、１０４７が、同様に、アダプタ１０１２のベース部分１０２４からその自由端部へ前方に延在する。底面１０４０を形成する２つの側面１０４６、１０４７を接合する、または合流させる共通縁部１０４８は、アダプタ１０１２の鼻部分１０２６の主要な長さにわたって延在し、長手方向中心線１０２２に対して概ね中心に配設される。
【０１０１】
本発明のこの示された形態では、アダプタ１０１２の底面または下面１０４０を形成する各側面またはファセット１０４６、１０４７が、概ね平面の構成を有する。さらに、本発明のこの形態では、アダプタ１０１２の鼻部分の下面または底面１０４０を形成する側面１０４６、１０４７がそれぞれ、水平面と約５°から１５°の先端角を形成するように下向きに傾斜している。
【０１０２】
本発明のこの実施形態では、それぞれ上面１０３０および底面１０４０を部分的に形成し、アダプタ１０１２の長手方向中心線１０２２の一方の側に配設された、角度が付いて配設された側面１０３６、１０４６が、同様に、アダプタ１０１２のベース部分１０２４から長手方向前方に延在する共通側縁部１０３９に沿って互いに接合される。同様に、図３０に示される本発明の実施形態では、アダプタ１０１２の長手方向軸１０２２の反対の側に配置された、それぞれ上面１０３０および底面１０４０の角度が付いて配設された側面１０３７および１０４７が、アダプタ１０１２のベース部分１０２４から長手方向前方に延在する共通側縁部１０４９に沿って互いに接合されている。
【０１０３】
アダプタ１０１２の鼻部分１０２６が、同様に、アダプタ１０１２を通って延在し、アダプタ１０１２と掘削または採掘歯を互いに動作可能な組合せで保持して維持するために使用される適切な固定具（図示せず）を収容するように対向する端部で開いている穴または開口１０５０を画定する。図３０に示されるように、穴１０５０は、上面１０３０の側面またはファセット１０３６、１０３７の少なくとも１つに概ね垂直に配設された軸１０５２を規定して、穴１０５０の製作を容易にする。
【０１０４】
本発明の原理を実施するアダプタの別の実施形態が図３１に示されている。アダプタのこの代替形態は、積載機械適用例で特に有用であり、参照番号１１１２によって一般に示される。アダプタ１２に関して上述した構成要素と同一の、または機能的に類似するアダプタのこの代替形態の要素は、この実施形態が１１００番台の参照番号を使用したことを除き、上で使用したのと同一の参照番号によって示される。
【０１０５】
本発明の好ましい実施形態では、アダプタ１１１２が、ベース部分１１２４と鼻部分１１２６を互いに軸方向に位置合わせされた関係で含んでおり、中心線１１２２を規定する。アダプタ１１１２の鼻部分１１２６は、細長いテーパ付き構成を有し、それぞれ上面１１３０および底面１１４０は、鼻部分１１２６の自由端部に向かって勾配が付いており、または傾斜しており、収束する。図示されるように、それぞれ上面１１３０および底面１１４０は、長手方向中心線１１２２のそれぞれ上方および下方に配設される。
【０１０６】
上面１１３０は、アダプタ１１１２のベース部分１１２４から前方に延在し、長手方向中心線１１２２の対向する横側部に配置され、共通上縁部１１３８に沿って互いに交わる、または合流する２つの側面１１３６と１１３７を含んでいる。共通上縁部１１３８は、アダプタ１１１２の鼻部分１１２６の主要な長さにわたって延在し、その長手方向中心線１１２２に沿って概ね中心に合わせられている。
【０１０７】
本発明のこの実施形態では、アダプタ１１１２の上面１１３０を形成する各側面またはファセット１１３６、１１３７が概ね平面の構成を有する。さらに、本発明のこの形態では、アダプタ１１１２の上面１１３０を形成する側面１１３６、１１３７がそれぞれ、水平面に対して約３５°と約５５°の間の範囲内にある角度で傾斜している。
【０１０８】
図３１に示されるアダプタの実施形態では、アダプタ１１１２の底面１１４０は、アダプタ１１１２の長手方向中心線１１２２の対向する横側部に配設され、長手方向中心線１１２２に概ね垂直に、かつ水平面に対して概ね平行に延在するようにアダプタ１１１２にわたって延在する概ね平坦な面またはファセット１１４６を有する。下面１１４６は、アダプタ１１１２のベース部分１１２４からその自由端部へ前方に延在する。
【０１０９】
本発明のこの実施形態では、上面１１３０を部分的に形成する角度が付いて配置された側面１１３６が、アダプタ１１１２のベース部分１１２４から長手方向前方に延在する共通側縁部１１３９に沿って底面１１４０に接合される。同様に、図３１に示された本発明の実施形態では、上面１１３０を部分的に形成する角度が付いて配置された側面１１３７が、アダプタ１０１２のベース部分１０２４から長手方向前方に延在する共通側縁部１１４９に沿って底面１１４０に接合される。
【０１１０】
アダプタ１１１２の鼻部分１１２６は、同様に、アダプタ１１１２を通って延在し、アダプタ１１１２と掘削または採掘歯を互いに動作可能な組合せで保持して維持するために使用される固定具（図示せず）を収容するようにその対向する端部で開いている穴または開口１１５０を画定する。図３１に示されるように、穴１１５０は、上面１１３０の側面またはファセット１１３６、１１３７の少なくとも１つに概ね垂直に配設された軸１１５２を規定して、穴１１５０の製作を容易にする。
【０１１１】
特には示していないが、アダプタの上面または底面の対向する側面が、必ずしも、互いに対して、または概ね水平な面に対して同じ角度で配設される必要がないことを、当業者には理解されたい。すなわち、本発明の精神および範囲から逸れるまたは逸脱することなく、アダプタの上面または底面の対向する側面間に何らかの角度上の相違が存在することがある。
【０１１２】
当業者に理解されるように、歯とアダプタの間の連結を高めるために、アダプタの鼻部分と、歯によって画定されためくら穴との断面形状が、互いに概ね対応している。したがって、アダプタの鼻部分が図２６に示されるものと同様の断面形状を有する場合、歯の後端部で画定されためくら穴が同様の断面形状を有し、それによりそれらの間の連結を高める。同様に、アダプタの鼻部分が、図２９に示されるものと同様の断面形状を有する場合、歯の後端部に対して開いているめくら穴が、それに対応する断面形状を有する。
【０１１３】
本発明は、従来技術デバイスでこれまで知られていなかったいくつかの明確な特徴を与える。第１に、本発明では、アダプタの鼻部分の断面サイズまたは領域を、これまで知られている対応するアダプタと同じ量の材料から製作すると共に、高い強度および剛性を与えることができる。したがって、材料を増やすことも、アダプタの重量を増すこともなく、その強度および剛性が大幅に高まる。アダプタの鼻部分の断面形状をベース部分に対して傾けることによって、垂直方向と水平方向どちらにおいても材料厚さの大幅な増大が与えられ、それによりアダプタがかなり大きな力に耐えることができるようになる。理解されるように、アダプタの上面および底面を形成する側面の角度に関する方向付けは、様々な操作に合うように製作中に形状を取ることができ、それでも従来構成されている複数部片歯組立体の連結で配設された断面形状を超える高い強度および耐久性を示す。したがって、歯と複数部片歯組立体のアダプタとの間の連結の断面設計は、地面係合ツールに関連して期待される垂直または水平方向の増大に一致するように特に形状を取ることができる。
【０１１４】
第２に、本発明では、間に連結を形成する採掘歯とアダプタの構成要素の角度上の方向付けは、比較的緩く嵌め合わされたアダプタ上の歯の自己中心合わせを見込んでいる。さらに、複数部片歯組立体の歯およびアダプタ構成要素は、以前の複数部片採掘歯設計から大幅に変更されており、本発明の構成要素部品を従来技術とはっきりと区別する。したがって、ベースまたは取付け部分に対するアダプタの鼻部分の傾けられた、または角度を付けられた構成は、上述した操作上の利点を与えると共に、さらに本発明のアダプタをこれまで知られている他の全ての設計と区別するように働く。同様に、採掘歯の後端部でのめくら穴またはポケットの角度を付けられた、または傾けられた構成も、本発明の掘削歯を他の全てから区別する。
【０１１５】
さらに、当業者に理解されるように、本発明で実施される保持ピン構造の角度を付けられた方向付けは、垂直または水平に配設された保持ピン・システムに勝る、より良い利点を与える。理解されるように、アダプタの角度を付けられた上面および底面の対向する側面に概ね垂直な角度で保持ピンを収容し保持するように穴の軸を配置することが、アダプタの製作を容易にする。また、保持ピンの角度上の方向付けは、採掘歯の修理および／または交換を行うためのピンに対する優れた接近性を見込んでいる。さらに、掘削される材料、および掘削歯組立体の垂直および水平移動、ならびにそこから生じる力は、本発明の角度が付いて配設された保持ピンに対して、これまで知られている保持ピン・システムに比べてあまり影響しなくなる。さらに、保持器ピン構造の傾斜した、または傾けられた方向付けは、採掘歯の修理または交換中に人間工学的な利点を与える。そのような人間工学的な利点は、より低い垂直配置でのバケットまたは積載具を用いるとより十分に実現される。さらに、保持ピン構造の傾けられた方向付けが、アダプタに対する採掘または掘削歯の組立ておよび適切な方向付けを容易にし、それにより使用者が、そのような採掘歯に関連する設計の特徴を十分に利用することができるようになる。
【０１１６】
前述したことから、本発明の新規な概念の真の精神および範囲を逸脱することなく、多数の修正および変形を行うことができることに気付かれよう。この開示は、本発明の例を述べるためのものであり、本発明を例示された特定の実施形態に限定するためのものではないことを理解されたい。この開示は、上記の特許請求の範囲によってカバーされるものであり、そのような変更および様々な変形例が全て、特許請求の範囲の精神および範囲に入る。
【図面の簡単な説明】
【図１】  本発明の掘削歯組立体の上面図である。
【図２】  図１に示される掘削歯組立体の側面図である。
【図３】  本発明の掘削歯組立体の斜視図である。
【図４】  掘削歯組立体の一部を形成するアダプタの上面図である。
【図５】  図４に示されるアダプタの一部断面側面図である。
【図６】  図５の線６−６に沿って取られた断面図である。
【図７】  図４〜図６に示されるアダプタの斜視図である。
【図８】  本発明の掘削歯組立体の一部を形成する掘削歯の上面図である。
【図９】  図８に示される掘削歯の側面図である。
【図１０】  図８に示される掘削歯の背面図である。
【図１１】  図１の線１１−１１に沿って取られた断面図である。
【図１２】  図１の線１２−１２に沿って取られた断面図である。
【図１３】  図１の線１３−１３に沿って取られた断面図である。
【図１４】  図１の線１４−１４に沿って取られた断面図である。
【図１５】  図１の線１５−１５に沿って取られた断面図である。
【図１６】  図１の線１６−１６に沿って取られた断面図である。
【図１７】  図１の線１７−１７に沿って取られた断面図である。
【図１８】  図１７と同様の図であるが、アダプタと採掘または掘削歯とを互いに動作可能な組合せで取外し可能に保持するための保持器ピン組立体に関する代替断面形状を示す図である。
【図１９】  図１７と同様の図であるが、掘削歯とアダプタを互いに取外し可能であるが、動作可能な組合せで取外し可能に保持するための保持器ピン組立体の別の代替形状を示す断面図である。
【図２０】  本発明の特徴を実施するアダプタの鼻部分の横断面図であって、採掘歯をアダプタと動作可能な関係で取外し可能に固定するための保持器ピン構造の代替形態を示す図である。
【図２１】  図２０に示された代替ピン保持構造を収容することができる図２０に示されたアダプタの鼻部分の斜視図を示す図７と同様の図である。
【図２２】  アダプタの鼻部分と、嵌め合わされた採掘歯とを互いに動作可能な組合せで取外し可能に固定するための保持器ピン構造の代替形態を有するアダプタの長手方向断面図である。
【図２３】  保持ピン構造の代替形態を収容することができる図２２に示されたアダプタの鼻部分の斜視図を示す図２１と同様の図である。
【図２４】  採掘歯がまわりに嵌め合わせられたアダプタの鼻部分を示し、かつアダプタと採掘歯を互いに動作可能な組合せで取外し可能に保持して維持するための別の代替ピン構造を示す図２０と同様の拡大横方向断面図である。
【図２５】  図２４に示される保持器ピン構造の拡大側面図である。
【図２６】  図６と同様の図であるが、アダプタの鼻部分に関する別の代替断面形状を示す断面図である。
【図２７】  図６と同様の図であるが、アダプタの鼻部分に関する別の代替断面形状を示す別の断面図である。
【図２８】  図６と同様の図であるが、アダプタの鼻部分に関する別の代替断面形状を示す断面図である。
【図２９】  図６と同様の図であるが、アダプタの鼻部分に関する別の代替断面形状を示す断面図である。
【図３０】  図６と同様の図であるが、アダプタの鼻部分に関する別の代替断面形状を示す断面図である。
【図１】
0004469501.tif 000002
【図２】
0004469501.tif 000003
【図３】
0004469501.tif 000004
【図４】
0004469501.tif 000005
【図５】
0004469501.tif 000006
【図６】
0004469501.tif 000007
【図７】
0004469501.tif 000008
【図８】
0004469501.tif 000009
【図９】
0004469501.tif 000010
【図１０】
0004469501.tif 000011
【図１１】
0004469501.tif 000012
【図１２】
0004469501.tif 000013
【図１３】
0004469501.tif 000014
【図１４】
0004469501.tif 000015
【図１５】
0004469501.tif 000016
【図１６】
0004469501.tif 000017
【図１７】
0004469501.tif 000018
【図１８】
0004469501.tif 000019
【図１９】
0004469501.tif 000020
【図２６】
0004469501.tif 000021
【図２７】
0004469501.tif 000022
【図２１】
0004469501.tif 000023
【図２０】
0004469501.tif 000024
【図２２】
0004469501.tif 000025
【図２３】
0004469501.tif 000026
【図２４】
0004469501.tif 000027
【図２５】
0004469501.tif 000028
【図２８】
0004469501.tif 000029
【図２９】
0004469501.tif 000030
【図３０】
0004469501.tif 000031
【図３１】
0004469501.tif 000032